(57)【要約】Ｗ−ＣＤＭＡ無線通信システムの容量を増やすための技術である。例示的な実施形態において、Ｗ−ＣＤＭＡ無線通信リンク上での１または複数の転送チャネルの早期終了（４００）が提供される。特に、スロットが無線で受信されると、早期復号（４２１、４２３）がそのスロットで行われ、１または複数の転送チャネルの伝送を終了するために、正確に復号されたこれらのチャネルに対する肯定応答メッセージ（ＡＣＫ）をシグナリングする（４３１、４３２）ための技術が記述される。当技術は、適応マルチレート（ＡＭＲ）コーデックを使用する音声信号の伝送に対して適用されうる。さらに、例示的な実施形態は、無線経由で送られる電力制御コマンドの伝送電力およびレートを減らすための態様、並びに、システムにおいてテールバイティング畳込符号を適用する（１０１５）ための態様を記述する。
2013512593.tif 000002
【特許請求の範囲】
【請求項１】
複合チャネルを生成するために少なくとも２つの転送チャネルを多重化する（２３２）ことと、
第１の割付伝送時間インターバル（ＴＴＩ）の間に、前記複合チャネルに対応するシンボルを送信する（４００）ことと、
前記シンボルの送信中に、前記転送チャネルのうちの少なくとも１つに対する肯定応答メッセージ（ＡＣＫ）を受信する（７１０）ことと、
前記第１のＴＴＩの残りの間に、前記肯定応答された転送チャネルのうちの前記少なくとも１つに対応する前記シンボルをパンクチャリングする（７２０）ことと
を備える方法。
【請求項２】
前記パンクチャリングの後、前記第１のＴＴＩに続く第２のＴＴＩの間に前記複合チャネルに対応するシンボルを送信することをさらに備える、請求項１に記載の方法。
【請求項３】
各ＴＴＩは、複数の連続サブセグメントにフォーマット化され、前記送信することは、前記第１のフレームのサブセグメントを順次連続的に送信することを備える、請求項１に記載の方法。
【請求項４】
各サブセグメントは、スロットを備える、請求項３に記載の方法。
【請求項５】
前記少なくとも２つの転送チャネルを多重化する前に、
少なくとも１つの転送チャネルのデータにＣＲＣを取り付ける（２１２）ことと、
前記少なくとも１つの転送チャネルのデータを符号化する（２１６）ことと、
前記少なくとも１つの転送チャネルのデータをレートマッチングする（２１８）ことと、
前記少なくとも１つの転送チャネルのデータをインターリーブする（２２２）ことと、
前記少なくとも１つの転送チャネルのデータに無線フレームセグメンテーションを実行する（２２４）ことと
をさらに備える、請求項１に記載の方法。
【請求項６】
前記複合チャネルのデータをインターリーブする（２３８）ことをさらに備え、前記パンクチャリングすることは、前記複合チャネルのデータをインターリーブしたあとに、前記少なくとも１つの肯定応答された転送チャネルに対応する前記複合チャネル内の前記シンボルを選択的にパンクチャネリングすることを備える、請求項１に記載の方法。
【請求項７】
前記複合チャネルのデータを２またはそれよりも多くの無線フレームにわたって結合する（９４０）ことと、
前記送信することの前に、前記結合データを前記２またはそれよりも多くの無線フレームにわたってインターリーブする（９５０）ことと、
をさらに備える、請求項１に記載の方法。
【請求項８】
前記少なくとも２つの転送チャネルは、適応マルチレート（ＡＭＲ）コーデックのクラスＡのビットを搬送する第１の転送チャネルと、ＡＭＲのクラスＢのビットを搬送する第２の転送チャネルと、ＡＭＲのクラスＣのビットを搬送する第３の転送チャネルとを備え、前記ＡＣＫを受信することは、前記第１の転送チャネルに対するＡＣＫを受信することを備える、請求項１に記載の方法。
【請求項９】
前記ＡＣＫを受信することは、前記第２の転送チャネルに対するＡＣＫを受信することをさらに備える、請求項８に記載の方法。
【請求項１０】
全てのＡＭＲ ＮＵＬＬパケットの専用物理データチャネル（ＤＰＤＣＨ）部を削除する（blank）ことをさらに備える、請求項９に記載の方法。
【請求項１１】
全てのＡＭＲ ＮＵＬＬパケットの既定のスロットの制御部をゲートすることをさらに備える、請求項１０に記載の方法。
【請求項１２】
前記少なくとも２つの転送チャネルは、ＡＭＲクラスＡおよびＢのビットを搬送する第１の転送チャネルと、ＡＭＲクラスＣのビットを搬送する第２の転送チャネルとを備え、前記ＡＣＫを受信することは、前記第１の転送チャネルに対するＡＣＫを受信することを備える、請求項１に記載の方法。
【請求項１３】
前記少なくとも２つの転送チャネルは、ＡＭＲクラスＡ、Ｂ、Ｃのビットを搬送するための少なくとも２つの転送チャネルを備え、前記方法は、さらに、テールバイティング畳込符号を使用して前記転送チャネルの少なくとも１つについてのデータを符号化する（１０１５）ことを備える、請求項１に記載の方法。
【請求項１４】
前記送信することは、Ｗ−ＣＤＭＡシステムのダウンリンク上で送信することを備え、前記受信することは、前記Ｗ−ＣＤＭＡシステムのアップリンク上で受信することを備える、請求項１に記載の方法。
【請求項１５】
前記送信することは、Ｗ−ＣＤＭＡシステムのアップリンク上で送信することを備え、前記受信することは、前記Ｗ−ＣＤＭＡシステムのダウンリンク上で受信することを備える、請求項１に記載の方法。
【請求項１６】
３２の拡散係数を用いて前記複合チャネルのデータを拡散する（８６０）ことをさらに備える、請求項１５に記載の方法。
【請求項１７】
複合チャネルを生成するために少なくとも２つの転送チャネルを多重化するように構成された多重化モジュール（２３２）と、
第１の割付伝送時間インターバル（ＴＴＩ）の間に、前記複合チャネルに対応するシンボルを送信するように構成された送信機（４００）と、
前記シンボルの送信中に、前記転送チャネルのうちの少なくとも１つに対する肯定応答メッセージ（ＡＣＫ）を受信するように構成された受信機（７１０）と、
前記第１のＴＴＩの残りの間に、前記肯定応答された転送チャネルのうちの前記少なくとも１つに対応する前記シンボルをパンクチャリングするように構成されたパンクチャリングモジュール（７２０）と
を備える装置。
【請求項１８】
前記送信機は、前記パンクチャリングの後、前記第１のＴＴＩに続く第２のＴＴＩの間に前記複合チャネルに対応するシンボルを送信するようにさらに構成される、請求項１７に記載の装置。
【請求項１９】
各ＴＴＩは、複数の連続サブセグメントにフォーマット化され、前記送信機は、前記第１のフレームのサブセグメントを順次連続的に送信するように構成される、請求項１７に記載の装置。
【請求項２０】
各サブセグメントは、スロットを備える、請求項１９に記載の装置。
【請求項２１】
少なくとも１つの転送チャネルのデータにＣＲＣを取り付けるように構成されたＣＲＣ取付ブロック（２１２）と、
前記少なくとも１つの転送チャネルのデータを符号化するように構成されたチャネルコード化ブロック（２１６）と、
前記少なくとも１つの転送チャネルのデータをレートマッチングするように構成されたレートマッチングブロック（２１８）と、
前記少なくとも１つの転送チャネルのデータをインターリーブするように構成されたインターリービングブロック（２２２）と、
前記多重化モジュール（２３２）が前記少なくとも２つの転送チャネルを多重化する前に、前記少なくとも１つの転送チャネルのデータに無線フレームセグメンテーションを実行するように構成された無線フレームセグメンテーションブロック（２２４）と
をさらに備える、請求項１７に記載の装置。
【請求項２２】
前記複合チャネルのデータをインターリーブするように構成されたインターリービングブロック（２３８）をさらに備え、前記パンクチャリングモジュール（７２０）は、前記複合チャネルのデータをインターリーブした後に、前記少なくとも１つの肯定応答された転送チャネルに対応する前記複合チャネル内の前記シンボルを選択的にパンクチャネリングするように構成される、請求項１７に記載の装置。
【請求項２３】
前記複合チャネルのデータを２またはそれよりも多くの無線フレームにわたって結合するように構成された結合器（９４０）と、
前記送信機が前記シンボルを送信する前に、前記結合データを前記２またはそれよりも多くの無線フレームにわたってインターリーブするように構成されたインターリーバ（９５０）と
をさらに備える、請求項１７に記載の装置。
【請求項２４】
前記少なくとも２つの転送チャネルは、適応マルチレート（ＡＭＲ）コーデックのクラスＡのビットを搬送する第１の転送チャネルと、ＡＭＲクラスＢのビットを搬送する第２の転送チャネルと、ＡＭＲクラスＣのビットを搬送する第３の転送チャネルとを備え、前記受信機（７１０）は、前記第１の転送チャネルに対するＡＣＫを受信するように構成される、請求項１７に記載の装置。
【請求項２５】
前記受信機（７１０）は、前記第２の転送チャネルに対するＡＣＫを受信するように構成される、請求項２４に記載の装置。
【請求項２６】
前記送信機（４４０）は、全てのＡＭＲ ＮＵＬＬパケットの専用物理データチャネル（ＤＰＤＣＨ）部を削除するようにさらに構成される、請求項２５に記載の装置。
【請求項２７】
前記送信機（４４０）は、全てのＡＭＲ ＮＵＬＬパケットの既定のスロットの制御部をゲートするようにさらに構成される、請求項２６に記載の装置。
【請求項２８】
前記少なくとも２つの転送チャネルは、ＡＭＲクラスＡおよびＢのビットを搬送する第１の転送チャネルと、ＡＭＲクラスＣのビットを搬送する第２の転送チャネルとを備え、前記受信機（７１０）は、前記第１の転送チャネルに対するＡＣＫを受信するように構成される、請求項１７に記載の装置。
【請求項２９】
前記少なくとも２つの転送チャネルは、ＡＭＲクラスＡ、Ｂ、Ｃのビットを搬送するための少なくとも２つの転送チャネルを備え、前記装置は、さらに、テールバイティング畳込符号を使用して前記転送チャネルの少なくとも１つについてのデータを符号化するように構成された符号器（１０１５）を備える、請求項１７に記載の装置。
【請求項３０】
前記送信機（４００）は、Ｗ−ＣＤＭＡシステムのダウンリンク上で送信するように構成され、前記受信機（７１０）は、前記Ｗ−ＣＤＭＡシステムのアップリンク上で受信するように構成される、請求項１７に記載の装置。
【請求項３１】
前記送信機（４００）は、Ｗ−ＣＤＭＡシステムのアップリンク上で送信するように構成され、前記受信機（７１０）は、前記Ｗ−ＣＤＭＡシステムのダウンリンク上で受信するように構成される、請求項１７に記載の装置。
【請求項３２】
前記送信機（４００）は、３２の拡散係数を用いて前記複合チャネルのデータを拡散するようにさらに構成される、請求項３１に記載の装置。
【請求項３３】
複合チャネルを生成するために少なくとも２つの転送チャネルを多重化する（２３２）ための手段と、
第１の割付伝送時間インターバル（ＴＴＩ）の間に、前記複合チャネルに対応するシンボルを送信する（４００）ための手段と、
前記シンボルの送信中に、前記転送チャネルのうちの少なくとも１つに対する肯定応答メッセージ（ＡＣＫ）を受信する（７１０）ための手段と、
前記第１のＴＴＩの残りの間に、前記肯定応答された転送チャネルのうちの前記少なくとも１つに対応する前記シンボルをパンクチャリングする（７２０）ための手段と
を備える装置。
【請求項３４】
前記少なくとも２つの転送チャネルは、適応マルチレート（ＡＭＲ）コーデックのクラスＡのビットを搬送する第１の転送チャネルと、ＡＭＲのクラスＢのビットを搬送する第２の転送チャネルと、ＡＭＲのクラスＣのビットを搬送する第３の転送チャネルとを備え、前記ＡＣＫを受信するための手段は、前記第１の転送チャネルに対するＡＣＫを受信するための手段を備える、請求項３３に記載の装置。
【請求項３５】
コンピュータに対して、
複合チャネルを生成するために少なくとも２つの転送チャネルを多重化させ（２３２）、
第１の割付伝送時間インターバル（ＴＴＩ）の間に、前記複合チャネルに対応するシンボルを送信させ（４００）、
前記シンボルの送信中に、前記転送チャネルのうちの少なくとも１つに対する肯定応答メッセージ（ＡＣＫ）を受信させ（７１０）、
前記第１のＴＴＩの残りの間に、前記肯定応答された転送チャネルのうちの前記少なくとも１つに対応する前記シンボルをパンクチャリングさせる（７２０）
ための命令を記憶するコンピュータ可読記憶媒体。
【請求項３６】
前記少なくとも２つの転送チャネルは、適応マルチレート（ＡＭＲ）コーデックのクラスＡのビットを搬送する第１の転送チャネルと、ＡＭＲのクラスＢのビットを搬送する第２の転送チャネルと、ＡＭＲのクラスＣのビットを搬送する第３の転送チャネルとを備え、前記コンピュータにＡＣＫを受信させるための命令は、コンピュータに前記第１の転送チャネルに対するＡＣＫを受信させるための命令を備える、請求項３５に記載のコンピュータ可読記憶媒体。
【発明の詳細な説明】
【技術分野】
【０００１】
［関連出願］
本出願は、参照により本明細書に組み込まれる、２００８年６月９日に出願された「Apparatus and Methods for Increasing Capacity in Wireless Communications」と題する米国仮出願６１／０６０,１１９号、２００８年６月１０日に出願された「Apparatus and Methods for Increasing Capacity in Wireless Communications」と題する米国仮出願６１／０６０，４０８号、２００８年６月１３日に出願された「Apparatus and Methods for Increasing Capacity in Wireless Communications」と題する米国仮出願６１／０６１，５４６号の優先権を主張する、２００９年４月１５日に出願された「Increasing Capacity in Wireless Communications」と題する米国出願第４２４,０５０号に関する。
【０００２】
本発明は一般的に、デジタル通信に関し、さらに詳細には、伝送電力を減らすため、且つ、無線デジタル通信システムの容量を改善するための技術に関する。
【背景技術】
【０００３】
［背景］
無線通信システムは、音声、パケットデータなど、様々なタイプの通信を提供するために広く展開されている。これらのシステムは、符号分割多元接続（ＣＤＭＡ）、時分割多元接続（ＴＤＭＡ）、周波数分割多元接続（ＦＤＭＡ）、あるいは、別の多元接続技術に基づきうる。例えば、そのようなシステムは、第３世代パートナーシッププロジェクト２（３ＧＰＰ２、あるいは、「ｃｄｍａ２０００」）、第３世代パートナーシップ（３ＧＰＰ、あるいは、「Ｗ−ＣＤＭＡ」）、または、ロングタームエボリューション（「ＬＴＥ」）のような規格と一致しうる。
【０００４】
送信機から受信機への伝送は、受信信号における誤りを防ぐために、ある程度の冗長を用いることが多い。例えば、Ｗ−ＣＤＭＡシステムにおいて、転送チャネルに対応する情報ビットは、非整数レートのシンボル符号化およびシンボル反復（またはパンクチャリング(puncturing)）を使用して処理されうる。そのような符号化シンボルは、さらに、１または複数の別の転送チャネルからの符号化シンボルと多重化され、スロットとして知られているサブセグメントへとグループ化され、無線で伝送されうる。シンボル冗長技術により、チャネル上に雑音が存在する場合においても情報ビットを正確に回復することができるが、そのような技術は、さらに、信号の受信状態が良い場合、システム全体の伝送電力におけるプレミアムを表す。そのようなプレミアムは、システム容量、すなわち、システムがあらゆる所与の時間に確実にサポートすることができるユーザの数を望ましくない形で減らしうる。
【０００５】
伝送冗長度を最小化し、容量を増やすために、Ｗ−ＣＤＭＡシステムにおけるデータの効率的な伝送を可能にする技術を提供することが望まれるであろう。
【発明の概要】
【０００６】
本開示の態様は、複合チャネルを生成するために少なくとも２つの転送チャネルを多重化することと、第１の割付伝送時間インターバル（ＴＴＩ;transmission time interval）の間に、複合チャネルに対応するシンボルを送信することと、シンボルの送信中に、転送チャネルのうちの少なくとも１つに対する肯定応答メッセージ（ＡＣＫ）を受信することと、第１のＴＴＩの残りの間に、肯定応答された転送チャネルのうちの少なくとも１つに対応するシンボルをパンクチャリングすることとを備える方法を提供する。
【０００７】
本開示の別の態様は、複合チャネルを生成するために少なくとも２つの転送チャネルを多重化するように構成された多重化モジュールと、第１の割付伝送時間インターバル（ＴＴＩ）の間に、複合チャネルに対応するシンボルを送信するように構成された送信機と、シンボルの送信中に、転送チャネルのうちの少なくとも１つに対する肯定応答メッセージ（ＡＣＫ）を受信するように構成された受信機と、第１のＴＴＩの残りの間に、肯定応答された転送チャネルのうちの少なくとも１つに対応するシンボルをパンクチャリングするように構成されたパンクチャリングモジュールとを備える装置を提供する。
【０００８】
本開示のさらに別の態様は、複合チャネルを生成するために少なくとも２つの転送チャネルを多重化するための手段と、第１の割付伝送時間インターバル（ＴＴＩ）の間に、複合チャネルに対応するシンボルを送信するための手段と、シンボルの送信中に、転送チャネルのうちの少なくとも１つに対する肯定応答メッセージ（ＡＣＫ）を受信するための手段と、第１のＴＴＩの残りの間に、肯定応答された転送チャネルのうちの少なくとも１つに対応するシンボルをパンクチャリングするための手段とを備える装置を提供する。
【０００９】
本開示のさらに別の態様は、コンピュータに対して、複合チャネルを生成するために少なくとも２つの転送チャネルを多重化させ、第１の割付伝送時間インターバル（ＴＴＩ）の間に、複合チャネルに対応するシンボルを送信させ、シンボルの送信中に、転送チャネルのうちの少なくとも１つに対する肯定応答メッセージ（ＡＣＫ）を受信させ、第１のＴＴＩの残りの間に、肯定応答された転送チャネルのうちの少なくとも１つに対応するシンボルをパンクチャリングさせる命令を記憶するコンピュータ可読記憶媒体を提供する。
【図面の簡単な説明】
【００１０】
【図１】図１は、本開示の技術が適用されうる無線セルラ通信システムを示す。
【図２Ａ】図２Ａは、Ｗ−ＣＤＭＡ規格に従うダウンリンクデータ伝送のためのノードＢにおける信号処理の図である。
【図２Ｂ】図２Ｂは、Ｗ−ＣＤＭＡ規格によって定義されるような、ダウンリンクデータ物理チャネル（ＤＰＣＨ）についてのフレームおよびスロットフォーマットの図である。
【図２Ｃ】図２Ｃは、Ｗ−ＣＤＭＡ規格によって定義されるような、アップリンクデータ物理チャネル（ＤＰＣＨ）についての対応するフレームおよびスロットフォーマットの図である。
【図２Ｄ】図２Ｄは、Ｗ−ＣＤＭＡ規格に従う、ダウンリンクデータ受信のためにＵＥにおいて実行されうる信号処理の図である。
【図３】図３は、Ｗ−ＣＭＤＡのための従来技術のシグナリングスキームと関連付けられたタイミング図を示す。
【図４】図４は、Ｗ−ＣＤＭＡ規格に従って動作するシステムのための伝送の早期終了についてのスキームの例示的な実施形態を示す。
【図５】図５は、本開示に従うＴＴＩについての早期復号スキームの例示的な実施形態を示す。
【図６Ａ】図６Ａは、Ｗ−ＣＤＭＡ規格に従う早期終了のためのＡＣＫシグナリングスキームを示す。
【図６Ｂ】図６Ｂは、Ｗ−ＣＤＭＡシステムにおけるダウンリンク上でのＡＣＫ伝送のためのフレームおよびスロットフォーマットの例示的な図を示す。
【図６Ｃ】図６Ｃは、Ｗ−ＣＤＭＡシステムにおけるアップリンク上でのＡＣＫ伝送のためのフレームおよびスロットフォーマットの例示的な図を示す。
【図７】図７は、ＡＣＫをＵＥから受信することに応答してのダウンリンク伝送の早期終了のためにノードＢで実行される処理の例示的な実施形態を示す。
【図８】図８は、Ｗ−ＣＤＭＡインターフェースを通した、クラスＡ、Ｂ、ＣのＡＭＲビットを含む単一のフルレートＡＭＲフレームの伝送のための従来技術のスキームの簡略的な図を示す。
【図９】図９は、本開示に従い、Ｗ−ＣＤＭＡインターフェースを通してフルレートのＡＭＲフレームを伝送するためのスキームの例示的な実施形態を示す。
【図１０】図１０は、テールバイティング畳込符号（tail-biting convolutional code）を用いるシステムの例示的な実施形態を示す。
【図１１Ａ】図１１Ａは、本開示の原理が適用されうるＵＭＴＳに従って動作する例示的な無線ネットワークを記述する。
【図１１Ｂ】図１１Ｂは、本開示の原理が適用されうるＵＭＴＳに従って動作する例示的な無線ネットワークを記述する。
【図１１Ｃ】図１１Ｃは、本開示の原理が適用されうるＵＭＴＳに従って動作する例示的な無線ネットワークを記述する。
【図１１Ｄ】図１１Ｄは、本開示の原理が適用されうるＵＭＴＳに従って動作する例示的な無線ネットワークを記述する。
【図１２】図１２は、アップリンク上でノードＢと通信するＵＥに対して早期復号の試みを優先するノードＢにおいて維持されうる表の例示的な実施形態を示す。
【発明を実施するための形態】
【００１１】
添付の図に関して下に示される詳細な説明は、本発明の例示的な実施形態の記述であることが企図され、本発明が実施されうる唯一の例示的な実施形態を表すことは企図されない。本記述全体で使用される「例示的（exemplary）」という用語は、「実例、事例、例証としての役割を果たすこと」を意味し、必ずしも、他の例示的な実施形態よりも好ましいあるいは有利であると解釈されるわけではない。詳細記述は、本発明の例示的な実施形態の全体的な理解を提供するために、特定な詳細を含む。本発明の例示的な実施形態が、これらの特定な詳細なしに実施されうることは当業者には明らかであろう。いくつかの例において、周知の構造およびデバイスが、本明細書に提示される例示的な実施形態の新規性を不明瞭にしないために、ブロック図の形で示される。
【００１２】
本明細書および特許請求の範囲において、エレメントが別のエレメントに「接続されている」または「結合されている」と称される場合、それは、別のエレメントに直接的に接続または結合されているか、あるいは、介在エレメントが存在しうることが理解されるであろう。対照的に、エレメントが別のエレメントに「直接的に接続されている」または「直接的に結合されている」と称される場合、介在エレメントは存在しない。
【００１３】
通信システムは、単一キャリア周波数またはマルチキャリア周波数を使用しうる。図１を参照すると、無線セルラ通信システム１００において、参照番号１０２Ａ〜１０２Ｇはセルを指し、参照番号１６０Ａ〜１６０ＧはノードＢを指し、参照番号１０６Ａ〜１０６Ｉはユーザ機器（ＵＥ）を指す。通信チャネルは、ノードＢ １６０からＵＥ １０６への伝送のためのダウンリンク（順方向リンクとしても知られている）と、ＵＥ １０６からノードＢ １６０への伝送のためのアップリンク（逆方向リンクとしても知られている）とを含む。ノードＢは、トランシーバ基地局（ＢＴＳ）、アクセスポイント、または、基地局とも呼ばれる。ＵＥ １０６は、アクセス局、リモート局、モバイル局、あるいは、加入者局としても知られている。ＵＥ １０６は、モバイルまたは固定でありうる。さらに、ＵＥ １０６は、無線チャネルを通して、あるいは、例えば、光ファイバまたは同軸ケーブルを使用する有線チャネルを通して通信する任意のデータデバイスでありうる。ＵＥ １０６は、さらに、ＰＣカード、コンパクトフラッシュ（登録商標）、外付けまたは内蔵モデム、あるいは、無線または有線電話を含むがそれらに限定されない多種多様なデバイスのいずれかでありうる。
【００１４】
最新の通信システムは、複数のユーザが共通の通信媒体にアクセスできるように設計される。時分割多元接続（ＴＤＭＡ）、周波数分割多元接続（ＦＤＭＡ）、空間分割多元接続、偏光分割多元接続（polarization division multiple-access）、符号分割多元接続（ＣＤＭＡ）、および、他の類似した多元接続技術のような多数の多元接続技術が当技術分野では知られている。この多元接続のコンセプトは、共通通信リンクへの複数のユーザアクセスを可能にするチャネル割付方法である。チャネル割付は、特定の多元接続技術に依存して様々な形態をとりうる。例として、ＦＤＭＡシステムの場合、周波数スペクトルの全領域は、多数のより小さいサブバンドに分割され、各ユーザは、通信リンクにアクセスするためにそれぞれのサブバンドが与えられる。あるいは、ＣＤＭＡシステムの場合、各ユーザは、常に周波数スペクトル全域が与えられ、それぞれの伝送は符号を使用することで区別される。
【００１５】
本開示の特定の例示的な実施形態は、Ｗ−ＣＤＭＡ規格に従った動作について下に記述されうるが、当業者は、この技術が、別のデジタル通信システムに容易に適用されうることを認識するであろう。例えば、本開示の技術は、ｃｄｍａ２０００無線通信規格および／または他のあらゆる通信規格に基づくシステムにも適用されうる。そのような別の例示的な実施形態は、本開示の範囲内であることが企図される。
【００１６】
図２Ａは、Ｗ−ＣＤＭＡ規格に従ったダウンリンクデータ伝送のためのノードＢにおける信号処理の図である。ダウンリンクの信号処理は図２Ａおよび２Ｂに関して具体的に記述されるが、アップリンク上で実行される対応の処理は当業者には明白であり、ダウンリンクおよびアップリンクの両方における本開示の例示的な実施形態は、本開示の範囲内であることが企図される。
【００１７】
Ｗ−ＣＤＭＡシステムの上部シグナリングレイヤは、１または複数の転送チャネル上での特定の端末へのデータ伝送をサポートし、各転送チャネル（ＴｒＣＨ）は、１または複数のサービスについてのデータを搬送することができる。これらのサービスは、音声、ビデオ、パケットデータなどを含み、これは、本明細書において、総称して「データ」と呼ばれうる。
【００１８】
各転送チャネルについてのデータは、その転送チャネルに対して選択される１または複数の転送フォーマットに基づいて処理される。各転送フォーマットは、その転送フォーマットが適用される伝送時間インターバル（ＴＴＩ）、データの各転送ブロックのサイズ、各ＴＴＩ内の転送ブロックの数、使用されるべきコード化スキームなど、様々な処理パラメータを定義する。ＴＴＩは、１０ミリ秒（ｍｓ）、２０ｍｓ、４０ｍｓ、または８０ｍｓとして指定されうる。各ＴＴＩは、そのＴＴＩの転送フォーマットで特定されたように、同サイズの転送ブロックを多数有する転送ブロックセットを伝送するために使用されうる。各転送チャネルについて、転送フォーマットは、ＴＴＩごとに動的に変化し、転送チャネルに使用されうる転送フォーマットのセットは転送フォーマットセットと呼ばれる。
【００１９】
図２Ａで示されるように、各転送チャネルのデータが、各ＴＴＩにつき１または複数の転送ブロックで、それぞれの転送チャネル処理セクション２１０に提供される。各処理セクション２１０内で、各転送ブロックは、ブロック２１２において、巡回冗長検査（ＣＲＣ(cyclic redundancy check)）ビットのセットを計算するために使用される。ＣＲＣビットは、転送ブロックに取り付けられ、ブロック誤り検出のために、受信側の端末によって使用される。次に、各ＴＴＩの１または複数のＣＲＣコード化ブロックは、ブロック２１４において、互いに直列に連結されうる。連結後のビットの総数が符号ブロックの最大サイズよりも多い場合、このビットは、多数の（同サイズの）符号ブロックへとセグメント化される。最大符号ブロックサイズは、転送フォーマットによって特定され、現在のＴＴＩに使用するために選択された特定のコーディングスキーム（例えば、畳み込みコード化、ターボコード化、あるいは、コード化なし）によって決定される。次に、各符号ブロックは、ブロック２１６において、コード化ビットを生成するために、選択されたコード化スキームを用いてコード化されるか、あるいは、全くコード化されない。
【００２０】
次に、ブロック２１８では、このコード化ビットに対して、より上部のシグナリングレイヤによって割り当られたレートマッチング属性に従ってレートマッチングが実行され、転送フォーマットによって特定されうる。アップリンク上では、伝送されるべきビットの数が利用可能なビット位置の数と一致するように、ビットが反復またはパンクチャリング（すなわち、削除）されうる。ダウンリンク上では、ブロック２２０において、未使用のビット位置が不連続伝送（ＤＴＸ）ビットで満たされる。ＤＴＸビットは、伝送がいつオフにされるべきかを示し、実際には伝送されない。
【００２１】
次に、ブロック２２２において、各ＴＴＩに対してレートマッチングされたビットは、時間ダイバーシチを提供するために、特定のインターリービングスキームに従ってインターリーブ(interleave)される。Ｗ−ＣＤＭＡ規格に従って、このインターリービングは、１０ｍｓ、２０ｍｓ、４０ｍｓ、または８０ｍｓと選択されうるＴＴＩにわたって実行される。ブロック２２４において、選択されたＴＴＩが１０ｍｓよりも長い場合、このＴＴＩ内のビットはセグメント化され、連続的な転送チャネルフレーム上にマッピングされる。各転送チャネルフレームは、（１０ｍｓの）物理チャネル無線フレーム期間（すなわち、簡単には１つの「フレーム」）にわたって伝送されるべきＴＴＩの一部に対応する。
【００２２】
Ｗ−ＣＤＭＡにおいて、特定の端末に伝送されるべきデータは、より上部のシグナリングレイヤにおいて、１または複数の転送チャネルとして処理される。次に、この転送チャネルは、通信（例えば、呼出）のために端末に割り当てられた１または複数の物理チャネルにマッピングされる。Ｗ−ＣＤＭＡにおいて、ダウンリンク専用物理チャネル（ダウンリンクＤＰＣＨ）は、典型的に、通信期間の間、各端末に割り当てられる。ダウンリンクＤＰＣＨは、時分割多重化方法で転送チャネルデータを、制御データ（例えば、パイロット、電力制御情報など）と共に搬送するために使用される。よって、ダウンリンクＤＰＣＨは、下に記述されるように、ダウンリンク専用物理データチャネル（ＤＰＤＣＨ;dedicated physical data channel）と、ダウンリンク専用物理制御チャネル（ＤＰＣＣＨ）との多重送信とみなされうる。この転送チャネルデータは、ＤＰＤＣＨにしかマッピングされず、ＤＰＣＣＨは、物理レイヤシグナリング情報を含む。
【００２３】
全てのアクティブ転送チャネル処理セクション２１０からの転送チャネルフレームは、ブロック２３２において、コード化複合転送チャネル（ＣＣＴｒＣＨ）へと連続的に多重化される次に、ブロック２３４において、ＤＴＸビットは、伝送されるべきビットの数が、データ伝送に使用されるべき１または複数の「物理チャネル」上の利用可能なビット位置の数と一致するように、多重化された無線フレームに挿入されうる。１よりも多くの物理チャネルが使用されると、ブロック２３６において、ビットは、この物理チャネル間でセグメント化される。次に、ブロック２３８において、各物理チャネルの各フレーム内のビットは、さらにインターリーブされ、さらなる時間ダイバーシチを提供する。次に、ブロック２４０において、インターリーブされたビットは、それぞれの物理チャネルのデータ部（例えば、ＤＰＤＣＨ）にマッピングされる。物理チャネルのビットは、ブロック２４２において、直交可変拡散率（ＯＶＳＦ）符号を用いて拡散され、ブロック２４３で変調され、続いて、物理チャネルの無線フレーム２４４ａ、２４４ｂなどへとセグメント化される。用いられる拡散率（ＳＦ）が、どれだけの数のビットが１つのフレームで伝送されるべきであるかに基づいて選択されうることは認識されるであろう。
【００２４】
本明細書および特許請求の範囲において、「複合チャネル（composite channel）」という用語は、２以上の転送チャネルからの多重化されたデータを含む任意の伝送（例えば、ＤＰＣＨ ＴＸ）として定義されうることに注意されたい。
【００２５】
図２Ｂは、Ｗ−ＣＤＭＡ規格によって定義されるような、ダウンリンクデータ物理チャネル（ＤＰＣＨ）のフレームおよびスロットフォーマットの図である。ダウンリンクＤＰＣＨ上で伝送されるべきデータは、各々が、スロット０〜スロット１４とラベル付けされた１５個のスロットを備える（１０ｍｓの）フレームにわたって伝送されている無線フレームへと分割される。各スロットは、ユーザ固有データ、シグナリング、および、パイロット、または、それらの組み合わせを搬送するために使用される多数のフィールドへとさらに分割される。
【００２６】
図２Ｂに示されるように、ダウンリンクＤＰＣＨの場合、各スロットは、データフィールド４２０ａおよび４２０ｂ（データ１およびデータ２）、伝送電力制御（ＴＰＣ）フィールド４２２、転送フォーマット結合インジケータ（ＴＦＣＩ）フィールド４２４、および、パイロットフィールド４２６を含む。データフィールド４２０ａおよび４２０ｂは、ユーザ固有データを送るために使用される。ＴＰＣフィールド４２２は、電力制御情報を送って、そのアップリンク伝送電力を上下いずれかに調整するよう端末に指示し、それによって、別の端末への干渉を最小化すると同時に所望のアップリンク性能を達成するために使用される。ＴＦＣＩフィールド４２４は、もしあれば、端末に割り当てられたダウンリンクＤＰＣＨおよびダウンリンク共有チャネルＤＳＣＨの転送フォーマットを示す情報を送るために使用される。パイロットフィールド４２６は、専用パイロットを送るために使用される。
【００２７】
図２Ｃは、Ｗ−ＣＤＭＡ規格によって定義されるような、アップリンクデータ物理チャネル（ＤＰＣＨ）の対応するフレームおよびスロットフォーマットの図である。図２Ｃで示されるように、アップリンクＤＰＣＨの場合、各スロットは、データフィールド２８０（データ）、パイロットフィールド２８２、転送フォーマット結合インジケータ（ＴＦＣＩ）フィールド２８４、フィードバック情報フィールド（ＦＢＩ）２８６、伝送電力制御（ＴＰＣ）フィールド２８８を含む。ＦＢＩフィールド２８６は、例えば、閉ループ伝送ダイバーシチに使用するためのフィードバックをサポートしうる。
【００２８】
図２Ｄは、Ｗ−ＣＤＭＡ規格に従った、ダウンリンクデータ受信のためにＵＥにおいて実行されうる信号処理の図である。当業者は、記述される技術が、Ｗ−ＣＤＭＡまたは任意の別の規格に従って、アップリンク伝送のためにノードＢでの信号処理をサポートするように容易に変更されうることを認識するであろう。
【００２９】
図２Ｄに示される信号処理は、図２Ａに示される信号処理に相補的である。最初に、ブロック２５０において、物理チャネル無線フレームのためのシンボルが受信されうる。このシンボルは、ブロック２５１において復調され、ブロック２５２において逆拡散される。ブロック２５３において、データチャネルに対応するシンボルの抽出が行われる。ブロック２５４において、物理チャネルごとの各フレームのシンボルがデインターリーブされ、ブロック２５５において、全ての物理チャネルからのデインターリーブされたシンボルが連結される。ブロック２５６において、ＤＴＸビットの除去が行われる。次に、ブロック２５８において、シンボルは、様々な転送チャネルへと逆多重化（demultiplex）される。次に、各転送チャネル無線フレームが、それぞれの転送チャネル処理セクション２６０に提供される。
【００３０】
ブロック２６２において、各転送チャネル処理セクション２６０の中で、転送チャネル無線フレームが転送ブロックセットへと連結される。各転送ブロックセットは、それぞれのＴＴＩに依存して、１または複数の転送チャネル無線フレームを含む。ブロック２６４において、各転送ブロックセット内のシンボルがデインターリーブされ、ブロック２６６において、未送信シンボルが除去される。次に、ブロック２６８において、反復シンボルを累積し、パンクチャリングされたシンボルに対して「消去（erasure）」を挿入するために、逆レートマッチング（Inverse rate matching）（または、反レートマッチング（de-rate matching））が行われる。次に、ブロック２７０において、転送ブロックセット内の各コード化ブロックは復号され、ブロック２７２において、この復号ブロックは、１または複数の転送ブロックへと連結およびセグメント化される。次に、ブロック２７４において、各転送ブロックは、その転送ブロックに取り付けられたＣＲＣビットを用いて、誤りが検査される。各転送チャネルについて、１または複数の復号転送ブロックが各ＴＴＩに対して提供される。特定の従来技術の実施形態において、ブロック２７０におけるコード化ブロックの復号は、対応するＴＴＩの全ての物理チャネル無線フレームが受信されて初めて開始しうる。
【００３１】
図３は、Ｗ―ＣＤＭＡについての従来技術のシグナリングスキームと関連付けられたタイミング図を示す。図３に示されるシグナリングスキームが、ダウンリンクまたはアップリンクのいずれかを記述しうることは認識されるであろう。
【００３２】
図３において、３００で、ＴｒＣＨ Ａ、Ｂ、ＣのＤＰＣＨスロットが伝送される。各転送チャネルは、各々が３０スロットにわたる２０ｍｓのＴＴＩを有し、各スロットは、スロット識別番号（スロットＩＤ＃）０〜２９を有する。３１０で、ＤＰＣＨのスロットが受信される。従来技術のスキームでは、対応する転送チャネルの復号を試みる前に、ＴＴＩの３０個全てのスロットが受信される。例えば、３３０において、ＴｒＣＨ Ａ、Ｂ、Ｃいずれかの復号を試みる前に、ＴＴＩ＃０のスロットＩＤ＃０〜２９が受信される。復号時間ＴＤに続いて、３４０で、ＴｒＣＨ Ａ、Ｂ、Ｃが成功裏に復号される。ＴｒＣＨ Ａ、Ｂ、Ｃの復号が行われる間、ＴＴＩ＃１の伝送シンボルが同時に受信機で受信されうることに注意されたい。
【００３３】
本開示に従って、下に記述されるようなＷ−ＣＤＭＡのための早期復号および終了技術により、通信システムは、より効率的に動作して伝送電力を節約し、それによって、システム容量を増やすことができる。
【００３４】
図４は、Ｗ−ＣＤＭＡ規格に従って動作するシステムのための伝送の早期終了についてのスキームの例示的な実施形態を示す。例示的な実施形態は、例示目的のためだけに示されること、および、本開示の範囲をＷ−ＣＤＭＡに基づくシステムに限定することを意図しないことに注意されたい。当業者は、転送チャネルの数および転送フォーマット、スロットまたはフレームタイミング、復号の試行が行われるスロットインターバルおよびタイミングなどの特定のパラメータが、例示目的のためだけに示されること、および、それらが本開示の範囲を限定することを意図しないことを認識するであろう。
【００３５】
図４において、４００で、ＴｒＣＨ Ａ、Ｂ、ＣのＤＰＣＨスロットが伝送される。４１０において、伝送されたスロットは、受信機によって受信される。本開示に従って、対応する転送チャネルの復号を試みる前に、ＴＴＩの全てのスロットが受信される必要はない。例えば、ＴＴＩ ＃０のＴｒＣＨ Ａの復号の試みは、４２１において、ＴＴＩ ＃０のスロットＩＤ＃１９を受信した後に生じる。復号時間ＴＤＡに続いて、ＴｒＣＨ Ａは、４２２において、成功裏に復号される。同様に、ＴｒＣＨ Ｂの復号の試みは、４２３において、スロットＩＤ＃２４を受信した後に生じ、その後、ＴｒＣＨ Ｂは、４２４において、復号時間ＴＤＢに続いて成功裏に復号される。ＴｒＣＨ Ｃの復号の試みは、４２５において、スロットＩＤ＃２９を受信した後に生じ、ＴｒＣＨ Ｃは、その後、復号時間ＴＤＣに続いて成功裏に復号される。特定の時間インターバルは図４においてＴＤＡ、ＴＤＢ、ＴＤＣと示されているが、本技術が、任意のあらゆる復号時間に適応する（accommodate）ために適用されうることは認識されるであろうことに注意されたい。
【００３６】
４２１と４２３におけるＴｒＣｈ ＡおよびＢの両方の復号の試みの前に受信されるスロットが、ＴＴＩ全体の全てのスロットの一部にのみ対応し、受信されたスロットのみを使用するＴＴＩ全体の「早期」復号が、それにもかかわらず、ＴｒＣＨ ＡおよびＢに試行されうることは認識されるであろう。例えば、そのような早期復号の試みは、例えば、図２Ａのブロック２１６および２１８における、非整数レートの符号化および／または反復によってもたらされた受信シンボルの冗長、および／または、図２Ａのブロック２２２および２３８でのインターリービングを介して達成された時間ダイバーシチまたは別次元のダイバーシチにより、復号に成功する実質的な機会を有しうる。
【００３７】
図４に戻り、ＴｒＣＨ Ａが４２２において成功裏に復号された後の時間Ｔ＿ＡＣＫに続いて、ＴｒＣＨ Ａに対する肯定応答メッセージ（ＡＣＫ）が、４３１において、ＤＰＣＨ送信側（ＴＸ）に送られる。例示的な実施形態において、ＡＣＫは、ＤＰＣＨ ＴＸに対して、対応する転送チャネルが既に伝送されたスロットに基づいて正確に復号されたこと、および、この転送チャネルの残りのスロットのさらなる伝送が不必要でありうることを知らせるように機能しうる。示される例示的な実施形態において、ＴｒＣＨ Ａに対するＡＣＫを受信した後、ＤＰＣＨ ＴＸは、スロットＩＤ＃２４から開始するＴＴＩ ＃０の残りに対するＴｒＣＨ Ａのスロット伝送を終了させる。ＴｒＣＨ Ａの伝送は、次のＴＴＩ（ＴＴＩ＃１）の開始時に再開する。同様に、ＤＰＣＨ ＴＸは、４３２で伝送されたＴｒＣＨ Ｂに対するＡＣＫの受信に応答してスロットＩＤ＃２８で始まるＴｒＣＨ Ｂのスロット伝送を終了させ、次のＴＴＩ（ＴＴＩ＃１）の開始時にＴｒＣＨ Ｂの伝送を再開する。
【００３８】
ＴＴＩが終了する前に転送チャネルのスロット伝送を終了することによって、別のユーザに対する潜在的な干渉が著しく減らされ、それによってシステム容量が増加することは認識されるであろう。
【００３９】
当事者は、ａ）復号の試みに対して指定されたＤＰＣＨ ＲＸにおいてスロットを受信してから、ｂ）ＤＰＣＨ ＴＸでの伝送を終了させるためのＡＣＫを送るまでのトータル時間が、上に記述されたように、時間インターバルＴＤＡおよびＴ＿ＡＣＫを含むこと、および、例えば、復号に利用可能な計算的リソースによって決定されうることを認識するであろう。例示的な実施形態において、そのようなトータル時間は、３スロットになるように設計されうる。
【００４０】
例示的な実施形態において、各転送チャネルに対する復号の試みを隔てる時間インターバルは、設計パラメータとして選択されうる。例えば、あらゆる特定の転送チャネルに対する復号の試みは、１、２、あるいは、任意の数のスロットごとに行われうる。あるいは、任意の転送チャネルに対する復号の試みは、ＴＴＩの期間全体を通して定期的に行われうる。復号の試みの周波数を増加させることが、一般的に、転送チャネルが、より多くの要求される計算的帯域幅を犠牲にして可能な最も早い機会で復号される可能性を増加させることは認識されるであろう。例示的な実施形態において、１または複数の転送チャネルの復号の試みは、３スロットごと、あるいは、２ｍｓごとに行われうる。
【００４１】
例示的な実施形態において、転送チャネルの復号の試みは、別の転送チャネルの復号の試みから時間的にオフセットされうる。例えば、図４において、ＴｒＣＨ Ａの復号の試みは、スロットＩＤ＃１９を受信した後に行われ、ＴｒＣＨ Ｂの復号の試みは、スロットＩＤ＃２４を受信した後に行われる。これは、単一の復号器が、この復号器の使用を２つの転送チャネルに時間的に直列に割り付けることによって、複数の転送チャネルの復号の試みに再利用されることを有利に可能にする。別の例示的な実施形態において、より多くの復号リソース（例えば、２以上の独立ビタビ復号器）が利用可能な場合、異なる転送チャネルの復号の試みは、同時に行われうる。例えば、２つ以上の転送チャネルの復号の試みは、同じスロットを受信した後に同時に行われうる。そのような例示的な実施形態は、本開示の範囲内であることが企図される。
【００４２】
示される例示的な実施形態において、各転送チャネルの早期終了のために、個別のＡＣＫが伝送される。当業者は、代替的に、送信機と受信機によって合（agree upon）されると、単一のＡＣＫが、１よりも多くの転送チャネルの早期終了を信号送信しうることを認識するであろう。そのような別の例示的な実施形態は、本開示の範囲内であることが企図される。
【００４３】
個々の転送チャネルに対するＡＣＫチャネルが、例えば、ＤＰＣＨ ＲＸ ４１０からＤＰＣＨ ＴＸ ４００への伝送のＤＰＣＣＨ部を用いて時間的に、あるいは、例えば、各転送チャネルに個別ウォルシュ符号を割り付けることによって符号的に多重化されうることは認識されるであろう。Ｗ−ＣＤＭＡにおける可能なＡＣＫシグナリングメカニズムが、本明細書において、以下に記述される。
【００４４】
図５は、本開示に従って、ＴＴＩについての早期復号スキームの例示的な実施形態を示す。図５は例示目的のためだけに示されており、本開示の範囲を、示されるあらゆる特定の例示的な実施形態に制限することを企図しないことに注意されたい。
【００４５】
図５のブロック５０１において、スロットインデックスｎがｎ＝０に初期化される。
【００４６】
ブロック５１０において、スロットＩＤ＃ｎのシンボルが受信されうる。
【００４７】
ブロック５２０において、最大でスロットＩＤ＃ｎまで受信されたシンボルが処理される。例示的な実施形態において、そのような処理は、例えば、逆拡散、第２のデインターリービング、転送チャネル逆多重化など、図２Ｄに関して示されたようなブロック２５２〜２５８を含みうる。例示的な実施形態において、そのような処理は、さらに、例えば、第１のデインターリービング、逆レートマッチングなど、図２Ｄに関して記述されたブロック２６２〜２６８のような転送チャネル固有の処理を含みうる。
【００４８】
ブロック５２０に続き、ブロック５２５において、ｎがインクリメントされ、次のスロットについてのシンボルの受信は、ブロック５１０で進みうる。さらに、ブロック５２０に続き、復号の試みは、ブロック５３０〜５６０に関して記述されるように、１または複数の転送チャネルに対して転送チャネル単位で行われうる。当業者は、この技術が、１または複数の転送チャネルの任意の構成に対して適用されうることを認識するであろう。
【００４９】
ブロック５３０．１において、復号の試みがＴｒＣＨ Ｘ１に対して行われるべきか否かが決定される。行われるべきである場合、この動作はブロック５４０．１に進む。例示的な実施形態において、復号の試みが行われるべきか否かの決定は、受信されたばかりのスロットのスロットＩＤ＃に基づきうる。例えば、ＴｒＣＨ Ｘ１についての復号の試みは、第１のスロットＩＤ＃ ｘから開始して、１、２、またはより多くのスロットごとに行われうる。さらに、本明細書において前に記述されたように、１つの転送チャネルについての復号の試みは、別の転送チャネルについての復号の試みからオフセットされうる。復号の試みが行われるべきか否かを決定するための別のスキームは、本開示の観点から、当業者には明白であろう。
【００５０】
ブロック５４０．１において、最大でスロットＩＤ＃ ｎまでの、例えば、ブロック５２０で処理されたＴｒＣＨ Ｘ１のシンボルに対して復号が行われる。
【００５１】
ブロック５５０．１において、ブロック５４０．１で行われた復号が成功したか否かについて決定される。例示的な実施形態において、復号の成功は、転送チャネルの１または複数の転送ブロックの復号されたＣＲＣが正確に検証されたか否かに基づいて決定されうる。ＣＲＣの用途を特定していない転送フォーマットを有する転送チャネルについて、復号ブロックのための復号器によって計算されたような、例えば、エネルギーメトリックなどの別のメトリックが復号の成功を決定するために使用されうることは認識されるであろう。復号が成功した場合、動作は、ブロック５６０．１に進み、そうでない場合の動作は、ブロック５３０．１に戻る。
【００５２】
ブロック５６０．１において、ＡＣＫは、次の利用可能な機会に、ＴｒＣＨ Ｘ１について伝送される。ＡＣＫ伝送についてのメカニズムは、図６Ａ、６Ｂ、６Ｃに関して以下に記述される技術を利用しうる。
【００５３】
図６Ａは、Ｗ−ＣＤＭＡ規格に従った、早期終了のためのＡＣＫシグナリングスキームを示す。図６Ａにおいて、１または複数のＡＣＫビットは、オン／オフキーイング（ＯＯＬ）変調ブロック６１０に提供される。６１２において、電力調整係数ＰＯＡＣＫが変調ＡＣＫシンボルと掛け合わせられる。１または複数のＴＰＣビットは、直交位相変調（ＱＰＳＫ）ブロック６２０に提供され、ブロック６２２において、変調ＴＰＣシンボルは電力調整係数ＰＯＴＰＣと掛け合わせられる。同様に、１または複数のパイロットビットＤＰは、ＱＰＳＫブロック６３０に提供され、６３２において、変調ＴＰＣシンボルは電力調整係数ＰＯＤＰと掛け合わせられる。電力調整されたシンボルは、波形を出力する多重化ブロック６１４に提供される。ここにおいて、ＤＰＣＣＨシンボルストリームを生成するためにシンボルが多重化される。例示的な実施形態において、シンボルは、時間的または符号的に多重化されうる。
【００５４】
別の例示的な実施形態において、示されない制御ビットがさらに処理され、例えば、ＴＦＣＩビットなど、ＤＰＣＣＨシンボルストリーム上に多重化されうることが認識されるであろう。
【００５５】
図６Ａにおいて、データソースビットは、データソースビット処理ブロック６４０に提供される。例示的な実施形態において、ブロック６４０は、図２Ａのブロック２１２〜２４２に関して記述された動作を行いうる。処理されたビットは、ＤＰＤＣＨシンボルストリームを生成するために、ＱＰＳＫ変調ブロック６４２に提供される。ＤＰＣＣＨおよびＤＰＤＣＨシンボルストリームは、マルチプレクサ６５０によって順に多重化され、ＤＰＣＨのためのシンボルを生成する。
【００５６】
例示的な実施形態において、ＡＣＫのための余剰シンボルを収容するために、専用のパイロットビットＤＰに割り付けられるシンボルの数は相応じて減らされうる。すなわち、ＡＣＫは、時間的に、ＤＰと多重化されうる。パイロットＤＰに割り付けられる一定のトータルエネルギーを維持するために、ＤＰに適応される電力オフセットＰＯＤＰは、相応じて増やされうる。
【００５７】
図６Ａに示されるスキームは、Ｗ−ＣＤＭＡ規格に従って、ダウンリンク伝送に適用されうる。示されるＡＣＫメッセージは、ＵＥへの１または複数の転送チャネルのノードＢのダウンリンク伝送を終了するために、例えば、アップリンク上のＵＥによって伝送され、アップリンク上のノードＢによって受信されうる。
【００５８】
図６Ｂは、Ｗ−ＣＤＭＡシステムにけるダウンリンク上でのＡＣＫの伝送のためのフレームおよびスロットフォーマットの例示的な図を示す。示されるＡＣＫ伝送は、アップリンク伝送の早期終了のためのダウンリンク上で使用されうる。特に、ＡＣＫは、ダウンリンクＤＰＣＣＨにおいてパイロット部と時間的に多重化されて示される。例示的な実施形態において、ＡＣＫ部に割り付けられた電力は、ダウンリンク上でのＡＣＫ受信に対して満足な誤り率を確実にするために、例えば、パイロット部に関して、既定のオフセットに固定されうる。
【００５９】
別の例示的な実施形態（示されない）において、パイロット部は完全に省かれ、ＡＫＣは、時間インターバル内に提供されるか、そうでなければ、パイロットに割り付けられうる。このような別の例示的な実施形態は、本開示の範囲内であることが企図される。
【００６０】
図６Ｃは、Ｗ−ＣＤＭＡシステムにおけるアップリンク上でのＡＣＫの伝送のためのフレームおよびスロットフォーマットの例示的な図を示す。示されるＡＣＫ伝送は、ダウンリンク伝送の早期終了に対して使用されうる。特に、ＡＣＫは、この場合も、アップリンクフレームのＤＰＣＣＨ上で、例えば、時間的または符号的に、パイロットと多重化されうる。
【００６１】
別の例示的な実施形態（示されない）において、ＡＣＫは、アップリンクフレームのＤＰＣＣＨおよびＤＰＤＣＨとは関係なく、個別のチャネル上で個別に提供されうる。例えば、個別の符号チャネルがＡＣＫに割り当てられうる。さらに、複数のＡＣＫが複数の転送チャネルに対して提供されると、このような複数のＡＣＫは、例えば、符号的に多重化されうる（ＡＣＫごとに個別の符号チャネルを提供することによって）か、あるいは、単一の符号チャネル上に時間的に多重化されうる。このような別の例示的な実施形態は、本開示の範囲内であることが企図されうる。
【００６２】
特定の例示的な実施形態が、現在のＷ−ＣＤＭＡ物理チャネルフォーマットのＡＣＫメッセージングに適応するために記述されているが、当業者は、別の例示的な実施形態が可能であることを認識するであろう。別の例示的な実施形態（示されない）において、制御シンボルの伝送（アップリンクまたはダウンリンクのいずれか上での）に割り付けられた時間インターバルの任意の部分は、任意の予め指定された単一のスロットまたは複数のスロットの間、ＡＫＣメッセージングシンボルによって置き換えられうる。そのような制御シンボルに割り付けられた電力は、ＡＣＫメッセージングによる制御シンボルパイロットのトータルエネルギーの任意の減少を補うために相応しく上方に調整されうる。
【００６３】
図７は、ＵＥからのＡＣＫの受信に応じてのダウンリンク伝送の早期終了のためにノードＢで行われる処理の例示的な実施形態を示す。当業者は、ノードＢからのＡＫＣの受信に応じてのアップリンク伝送の早期終了のために、同様の技術がＵＥによって採用されうることを認識するであろう。そのような別の例示的な実施形態は、本開示の範囲内であることが企図される。
【００６４】
図７において、ノードＢのＡＣＫ受信モジュール７１０は、ＵＥから送られたＡＣＫを受信する。この場合、ＡＣＫは、ＴｒＣＨ Ａ、Ｂ、Ｃのうちの１または複数が、ＵＥによって正確に受信されたことを示す。ＡＣＫ受信モジュール７１０は、ＡＣＫが対応する転送チャネルを決定し、それらの転送チャネルを選択的ＴｒＣＨパンクチャリングモジュール７２０に信号伝送する。選択的ＴｒＣＨパンクチャリングモジュール７２０は、第２のインターリービングブロック２３８の出力において、肯定応答された（ＡＣＫされた）転送チャネルに対応するそれらのビットをパンクチャリングするように構成される。パンクチャリングのプロセスが、伝送のために指定されたビットを、「消去」または「不連続伝送」（ＤＴＸ）ビットと置き換えることを含みうることは認識されるであろう。選択的パンクチャリングモジュール７２０の出力ストリームは、本明細書で図２Ａに関して前に記述されたように、さらなるダウンリンク処理のために物理チャネルマッピングブロック２４０に提供される。
【００６５】
当業者は、選択的パンクチャリングモジュール７２０が、第２のインターリービングブロック２３８によって出力されるビットのどれが特定の転送チャネルに対応しているかを識別するように事前にプログラミングされ、例えば、利用可能な全ての転送チャネルの第１および第２のインターリービングパラメータ、レートマッチングパラメータ、符号化などについての知識を組み込みうることを認識するであろう。
【００６６】
別の例示的な実施形態において、図７に示されたものよりも少ない数、あるいは、それよりも多くの数の転送チャネルを収容するように、ＡＣＫ受信モジュール７１０および選択的ＴｒＣＨパンクチャリングモジュール７２０が容易に変更されうることに注意されたい。さらに、選択的ＴｒＣＨパンクチャリングモジュール７２０は、第２のインタリーバ７１０の後に提供される必要はなく、代わりとして、ＡＣＫされた特定のＴｒＣＨに対応するビットが正確に選択される限り、信号処理チェーンのどこにでも提供されうる。そのような別の例示的な実施形態は、本開示の範囲内であることが企図される。
【００６７】
例示的な実施形態において、本明細書に記述される早期終了技術は、Ｗ−ＣＤＭＡ規格に従った適応マルチレート（ＡＭＲ;(adaptive multi-rate)）スピーチコーデックを使用する音声通信に適用されうる。音声通信システムにおいて、スピーチコーデックは、複数の可変符号化レートのうちの１つを使用して音声伝送を符号化するために用いられることが多い。この符号化レートは、例えば、特定の時間インターバルの間に検出されるスピーチ活動の量に基づいて選択されうる。Ｗ−ＣＤＭＡにおいて、スピーチ伝送は、複数の異なるビットレートまたは「ＡＭＲ」モードのうちの１つを使用してスピーチを符号化する適応マルチレート（ＡＭＲ）コーデックを使用して符号化されうる。特に、このＡＭＲコーデックは、４．５７ｋｂｐｓ（すなわち、キロバイト／秒）から１２．２ｋｂｐｓまでおよぶ複数のフルレート（full rate）（「ＦＵＬＬ」）ビットレートのうちのいずれかを、サイレンスの期間の間は１．８ｋｂｐｓのサイレンスインジケータ（「ＳＩＤ」）ビットレートを、且つ、０ｋｂｐｓの不連続伝送（ＤＴＸまたは「ＮＵＬＬ」）のフレームをサポートしうる。
【００６８】
フルレートＡＭＲビットが、誤りに対して最も敏感な「クラスＡビット」、誤りに対してそれほど敏感ではない「クラスＢビット」、誤りに対して最も敏感ではない「クラスＣビット」へとさらに分割されうることは認識されるであろう。例示的な実施形態において、そのようなクラスＡ、Ｂ、Ｃビットは、Ｗ−ＣＤＭＡアップリンクまたはダウンリンクインターフェースを使用する無線経由での伝送のために、それぞれ転送チャネルＴｒＣＨ Ａ、Ｂ、Ｃに割り当てられうる。（例えば、上文の図２Ａに関するＷ−ＣＤＭＡダウンリンクインターフェースについての記述参照）例示的な実施形態において、ＴｒＣＨ Ａ、Ｂ、Ｃの転送フォーマットは、クラスＡビットに最も高いレベルの誤り保護が提供され（例えば、符号化、ＣＲＣ、および／または、レートマッチングパラメータを設定することによって）、クラスＢビットにより低いレベルの誤り保護が提供され、クラスＣには最も低いレベルの誤り保護が提供されるように定義されうる。例示的な実施形態において、ＡＭＲ転送フォーマットの各々のＴＴＩは、２０ｍｓと定義されうる。
【００６９】
図８は、クラスＡ、Ｂ、ＣのＡＭＲビットを含む単一のフルレートＡＭＲフレームをＷ−ＣＭＤＡインターフェースを通して伝送するための従来技術スキームの簡略化された図を示す。例示を簡略化するために、図８に示される処理が、例えば、ＴｒＣＨのＡ、Ｂ、Ｃについての完全な信号処理チェーンなど、特定の詳細を省くことは認識されるであろう。例示的な実施形態において、図８および９に示されるスキームは、Ｗ−ＣＤＭＡシステムのアップリンクに適用されうる。
【００７０】
図８において、ＡＭＲクラスＡ、Ｂ、Ｃビットは、それぞれ、転送チャネルＡ、Ｂ、Ｃに割り当てられる。各転送チャネルのビットは、対応する転送チャネル処理ブロック８３０、８３２、８３４に提供される。実施において、転送チャネルＡ（ＡＭＲクラスＡビットに対応する）の転送フォーマットは、ＴｒＣＨ Ａの転送ブロックのために１２ビットのＣＲＣを特定し、転送ブロックＴｒＣＨ ＢおよびＣは、ＣＲＣを含まない。
【００７１】
ブロック８３０、８３２、８３４に続き、無線フレームセグメンテーションは、それぞれ、ブロック８３１、８３３、８３５で実行される。例えば、ＡＭＲクラスＡに対応するビットは、第１の無線フレームのための部分Ａ１、および、第２の無線フレームのための部分Ａ２へとセグメント化され、ＡＭＲクラスＢビットは、Ｂ１およびＢ２へとセグメント化され、ＡＭＲクラスＣビットは、Ｃ１およびＣ２へとセグメント化される。ビットＡ１は、ＣＣＴｒＣＨ ８４０．１を生成するためにＢ１およびＣ１と多重化され、同様に、ビットＡ２、Ｂ２、Ｃ２は、ＣＣＴｒＣＨ ８４０．２を生成するために多重化される。第２のインターリービング８５０．１、８５０．２は、ＣＣＴｒＣＨの各々に対して個々に行われる。各フレームのデータは、フレーム１および２を生成するために、８６０．１、８６０．２において、６４の拡散率を使用して拡散される。
【００７２】
実施において、Ｗ−ＣＤＭＡ規格ごとに、アップリンク拡散率は、少なくとも６４に限定される。
【００７３】
本明細書に記述された早期復号技術に従って、受信機は、図８に示されるスキームに従って生成されたフレーム１および２の各々に対する早期復号を試みうる。実際、例えば、１５スロットを受信した後に、第１のフレームだけの受信に基づいて完全な２つのフレームのＴＴＩを成功裏に復号する可能性は極めて低い場合がある。可能な最も早い時間で完全なＴＴＩを成功裏に復号する可能性を増加させるための技術が本明細書においてさらに開示される。
【００７４】
図９は、本開示に従って、Ｗ−ＣＭＤＡインターフェースを通してフルレートＡＭＲフレームを伝送するためのスキームの例示的な実施形態を示す。図９において、ＡＭＲクラスＡ、Ｂ、Ｃビットは、それぞれ転送チャネルＡ、Ｂ、Ｃに割り当てられる。各転送チャネルのビットは、対応する転送チャネル処理ブロック９３０、９３２、９３４に提供される。例示的な実施形態において、１または複数の転送チャネルのコード化レートは、図８に示される従来技術のスキームと比べて減らされうる。すなわち、各情報シンボルに対するコード化シンボルの数は増加しうる。
【００７５】
ブロック９３０、９３２、９３４に続いて、それぞれブロック９３１、９３３、９３５でセグメンテーションが行われ、９４０において、ビットＡ１、Ａ２、Ｂ１、Ｂ２、Ｃ１、Ｃ２が生成される。これらのビットは、２０ｍｓの第２のインタリーバ９５０にまとめて提供されうる。例示的な実施形態において、第２のインタリーバ９５０は、第２のインタリーバ９５０が、１０ｍｓよりもむしろ２０ｍｓにわたってビットをインターリーブするように設計されているという点で、従来技術のＷ−ＣＤＭＡの第２のインタリーバ８５０から変更される。これは、ＴＴＩ全体にわたってより均一に各ＡＭＲクラスの符号化ビットを有利に分散し、それによって、より早い時間で１または複数のクラスのＡＭＲビットを復号する可能性をより高めることにつながる。
【００７６】
無線フレームセグメンテーション９５２は、２０ｍｓの第２のインタリーバ９５０の出力で行われ、第２のインターリーブされたビットを第１および第２の無線フレームに分ける。このビットは、ブロック９６０．１および９６０．２において拡散される。例示的な実施形態において、９６０．１および９６０．２における拡散は、従来技術のＡＭＲ伝送スキームにおけるブロック８６０．１および８６０．２において用いられる拡散率よりも低い拡散率を使用して行われる。拡散率を減らすことによって、各フレームが、例えば、本明細書において前に記述されたような転送チャネル処理ブロック９３０、９３２、９３４におけるコード化レートを減らすことで生じる増加数のビットを収容できることは認識されるであろう。コード化レートおよび拡散率を同時に減らすこと、および、２０ｍｓの第２のインターリービングをさらに導入することによって、より早い時間での復号の成功率が改善されうることは認識されるであろう。
【００７７】
図９は、コード化レートおよび拡散率の減少が２０ｍｓの第２のインターリービングに関して実施される例示的な実施形態を示しているが、別の例示的な実施形態において、２つの特徴が個々に実施されうることは認識されるであろう。図８および９に関する拡散率が、例示を目的とするためのものであることはさらに認識されるであろう。別の例示的な実施形態において、別の拡散率が容易に用いられ、そのような別の例示的な実施形態は、本開示の範囲内であることが企図されうる。
【００７８】
例示的な実施形態において、ＡＭＲクラスＡ、Ｂ、Ｃに対応するＴｒＣＨ Ａ、Ｂ、Ｃの早期復号は、本明細書で図４に関して上に記述されたように進みうる。特に、例示の目的のために、いくつかが次に明示的に記述される複数の転送チャネルの早期復号の試みを協調するためのいくつかのオプションが存在する。
【００７９】
第１の例示的な実施形態（本明細書において「ＥＴ−Ａ」とも呼ばれうる）において、ＡＭＲクラスＡビットの早期復号は、受信された任意のスロットから開始して、３スロットごと、あるいは、２ｍｓごとに試されうる。例えば、ＣＲＣ検査に基づいてクラスＡビットが成功裏に復号されると、ＴｒＣＨ ＡについてのＡＣＫが送られ、クラスＡビットの伝送は終了しうる。ＡＭＲクラスＢおよびＣビットは、ＴＴＩの終端まで伝送され続けうる。
【００８０】
第２の例示的な実施形態（本明細書において「ＥＴ−Ａ−Ｂ」とも呼ばれうる）において、ＡＭＲクラスＡおよびクラスＢに対応するＴｒＣＨ ＡおよびＢの転送フォーマットは、両方とも、ＣＲＣの包含を特定し、それによって、早期復号がＴｒＣＨ ＡおよびＢに対して試されうる。特定の例示的な実施形態において、ＴｒＣＨ Ａの早期復号の試みは、ＴｒＣＨ Ｂの早期復号の試みから時間的にオフセットされうる。あるいは、ＴｒＣＨ ＡおよびＢの復号の試みは、同一のスロットを受信した後に、受信機において同時に行われうる。
【００８１】
例示的な実施形態は、ＡＭＲクラスＡ、Ｂ、ＣビットがそれぞれＴｒＣＨ Ａ、Ｂ、Ｃに割り当てられる図９に関して記述されているが、別の例示的な実施形態が、転送チャネルへのＡＭＲクラスの別の割当を用いうることに注意されたい。第３の例示的な実施形態（本明細書において「ＥＴ−ＡＢ」とも呼ばれる）において、ＡＭＲクラスＡおよびＢビットは、例えば、ＴｒＣＨ Ａなど単一の転送チャネルに割り当てられ、ＡＭＲクラスＣビットは、例えば、ＴｒＣＨ Ｂなど、別の転送チャネルに割り当てられうる。この場合、ＴｒＣＨ Ａの早期復号および終了は、ＡＭＲクラスＡおよびＢビットの両方の早期終了に帰着するであろう。そのような別の例示的な実施形態は、本開示の範囲内であることが企図される。
【００８２】
別の例示的な実施形態において、Ｗ−ＣＤＭＡインターフェースを通して特定のＡＲＭクラスを伝送するために要求される電力をさらに減らすために、当技術分野で知られているテールバイティング畳込符号化スキーム（tail-biting convolutional coding scheme）をサポートする転送フォーマットは、Ｗ−ＣＤＭＡ規格によって既にサポートされているものに加えられうる。テールバイティング畳込符号によって、この畳み込み符号と関連付けられたテールビットは、畳み込み符号シフトレジスタの初期状態に、期待される終了状態を事前にロードすることによって省略されることを可能にし、それによって、ビットのオーバヘッド数を減らしうることは認識されるであろう。
【００８３】
図１０は、テールバイティング畳込符号を用いるシステムの例示的な実施形態を示す。図１０において、ＴｒＣＨ Ｘについてのビットは、ＴｒＣＨ／ＰｈＣＨ処理ブロック１０１０に提供される。ブロック１０１０は、テールバイティング畳込符号符号器１０１５を使用してＴｒＣＨ Ｘビットを符号化しうる。例えば、テールバイティング畳込符号符号器１０１５は、図２のチャネルコード化ブロック２１６として提供されうる。
【００８４】
ブロック１０１０に続き、信号は、チャネル１０１９を通して伝送され、ＰｈＣＨ／ＴｒＣＨ処理ブロック１０２０に提供される。ブロック１０２０は、受信された現在のスロットに基づいて早期復号が試されるべきか否かを決定するブロック１０３０を含む。試されるべきである場合、受信されたシンボルは、当技術分野で知られている様々なテールバイティング畳込符号復号スキームのうちのいずれかを実施するテールバイティング畳込符号復号器１０４０に提供される。ブロック１０５０において、復号が成功したか否かが決定される。成功した場合、ＴＴＩは、成功裏に宣言されたと宣言され、この復号ビットが提供される。成功しなかった場合、動作は、次の早期復号機会を待つためにブロック１０３０に戻る。
【００８５】
従来の畳み込み符号と関連付けられたテールビットを省くことによって、テールバイティング畳込符号の場合、チャネルを通して伝送される必要があるデータがより少なくなり、それによって別のユーザに対する干渉はあまり生成されないことは認識されるであろう。前の早期復号の試みの終了状態は同一の転送チャネルの後続の早期復号の試みの初期状態に等しいことが期待されるという事実を、テールバイティング畳込符号の繰り返される早期復号の試みが利用し、それによって、計算的リソースを潜在的に節約しうることがさらに認識されるであろう。
【００８６】
例示的な実施形態において、ＡＭＲビットの１または複数のクラスについての転送フォーマットは、テールバイティング畳込符号がそのクラスのビットの符号化に使用されることを特定しうる。例えば、例示的な実施形態（本明細書において「ＥＴ−Ａ−Ｂ−ＴＢ」とも呼ばれる）において、ＡＭＲクラスＡビットについてのＴｒＣＨ ＡおよびＡＭＲクラスＢビットについてのＴｒＣＨ Ｂの転送フォーマットは、両方とも、ＣＲＣの包含を特定し、ＴｒＣＨ Ｂおよび、ＡＭＲクラスＣビットのためのＴｒＣＨ Ｃの転送フォーマットは、両方とも、テールバイティング畳込符号が符号化スキームに使用されることを特定しうる。受信機において、早期復号は、上に記述された原理に従ってＴｒＣＨ ＡおよびＴｒＣＨ Ｂ上で試されうる。別の例示的な実施形態（本明細書において「ＥＴ−Ａ−Ｂ−ＴＢ−Ｍｏｄ」とも呼ばれうる）において、ＡＭＲクラスＣビットのためのＴｒＣＨ Ｃの転送フォーマットだけが、テールバイティング畳込符号が符号化スキームに対して使用されうることを特定しうる。
【００８７】
当業者は、記述されている転送フォーマットの組み合わせが、例示目的のためだけに与えられること、並びに、別の例示的な実施形態が、Ｗ−ＣＤＭＡ規格に従いＡＭＲビットの伝送について記述された特徴の別の組み合わせを容易に用いうることを認識するであろう。そのような別の例示的な実施形態は、本開示の範囲内であることが企図される。
【００８８】
別の例示的な実施形態において、本明細書に記述された様々なＡＭＲ伝送技術に関する各転送チャネルに対するソースビットの数、ＣＲＣビットの数、および、テールビットの数は、次のように選ばれうる（表１）：
【表１】
2013512593.tif 000003
【００８９】
例示的な実施形態において、システムの伝送電力をさらに減らすために、ＡＭＲ ＮＵＬＬパケットのＤＰＤＣＨ部は、全体的に空白にされうるか、ダウンリンクまたはアップリンクのいずれか上でＤＴＸビットが挿入されうる。この場合、復号は、そのようなＮＵＬＬパケットに対し、受信機において実行されないであろう。それと関係して、受信機における外側ループ電力制御（ＯＬＰＣ）スキームは、受信されたＡＭＲ ＮＵＬＬおよびＳＩＤパケットにのみ基づきうる。例えば、ＯＬＰＣスキームは、ＡＭＲ ＮＵＬＬパケットが受信される場合、更新されない。
【００９０】
別の例示的な実施形態において、本明細書に記述された早期終了技術に関して、ダウンリンクまたはアップリンクの電力制御レートは、さらに減らされうる。例えば、電力制御コマンドを全てのスロットで（例えば、スロットのＴＰＣフィールド内で）伝送するよりもむしろ、電力制御コマンドは、２またはそれよりも多くのスロットごとに送られうる。例示的な実施形態において、アップリンク上のＡＭＲ ＮＵＬＬパケットのＤＰＣＣＨ部は、ダウンリンク上の電力制御レートによって決定されたゲートパターンに従ってゲートされうる。例えば、７５０Ｈｚの電力制御がダウンリンクに適用される場合、アップリンクＤＰＣＣＨは、ＡＭＲ ＮＵＬＬパケットを伝送する際、１スロットおきにゲートされうる（すなわち、選択的にオフにされうる）。別の例示的な実施形態において、ダウンリンクの電力制御レートは、ＡＭＲ ＮＵＬＬパケット（例えば、＜７５０Ｈｚ）を伝送する場合よ遅くされ、アップリンクＤＰＣＣＨは、より頻繁にゲートされうる（例えば、アップリンクＤＰＣＣＨは、４または５スロットごとに１度だけオンにされうる）。ＤＰＣＣＨがゲートされうる頻度に対して影響を及ぼす他の考慮されるべき事項が、アップリンクサーチャがどれだけ信頼的に機能するか、アップリンクオーバヘッドチャネルがどれだけ信頼的に復号されうるか、および、アップリンク上の電力制御ビット伝送波形の構成を含むことは認識されるであろう。そのような例示的な実施形態は、本開示の範囲内であることが企図される。
【００９１】
本開示の原理が適用されうるＵＭＴＳに従って動作する例示的な無線ネットワークが、図１１Ａ〜１１Ｄについて本明細書でさらに記述される。図１１Ａ〜１１Ｄは例示的なバックグラウンドを示す目的でのみ示されており、本開示の範囲を、ＵＭＴＳに従って動作する無線ネットワークに限定することを意図しないことに注意されたい。
【００９２】
図１１Ａは、無線ネットワークの例を示す。図１１Ａにおいて、ノードＢ １１０、１１１、１１４および無線ネットワークコントローラ１４１〜１４４は、「無線ネットワーク」、「ＲＮ」、「アクセスネットワーク」、あるいは、「ＡＮ」と呼ばれるネットワークの一部である。無線ネットワークは、ＵＴＲＡＮ（UMTS Terrestrial Radio Access Network）でありうる。ＵＴＲＡＮは、ＵＭＴＳ無線アクセスネットワークを形成するノードＢ（または基地局）と、それが含んでいるノードＢのための制御機器（または、無線ネットワークコントローラ（ＲＮＣ））との総称である。これは、リアルタイム回線交換トラフィックタイプおよびＩＰベースパケット交換トラフィックタイプの両方を搬送することができる３Ｇ通信ネットワークである。ＵＴＲＡＮは、ユーザ機器（ＵＥ）１２３〜１２７にエアインターフェースアクセス方法を提供する。ＵＴＲＡＮによってＵＥとコアネットワークとの間に接続性が提供される。無線ネットワークは、複数のユーザ機器デバイス１２３〜１２７の間でデータパケットを転送しうる。
【００９３】
ＵＴＲＡＮは、Ｉｕ、Ｕｕ、Ｉｕｂ、Ｉｕｒという４つのインターフェースを用いて、別の機能エンティティに内部的または外部的に接続される。ＵＴＲＡＮは、Ｉｕと呼ばれる外付けインターフェースを介してＧＳＭ（登録商標）コアネットワーク１２１に取り付けられる。無線ネットワークコントローラ（ＲＮＣ）１４１〜１４４（図１１Ｂに示される）は、その中で１４１、１４２が図１１Ａに示され、このインターフェースをサポートする。加えて、ＲＮＣは、Ｉｕｂとラベル付けされるインターフェースを介してノードＢと呼ばれる基地局のセットを管理する。Ｉｕｒインターフェースは、２つのＲＮＣ １４１、１４２を互いに接続する。ＵＴＲＡＮは、ＲＮＣ１４１〜１４４がＩｕｒインターフェースによって相互接続されているため、大部分がコアネットワーク１２１から自立している。図１１Ａは、ＲＮＣ、ノードＢ、ＩｕインターフェースおよびＵｕインターフェースを使用する通信システムを開示する。Ｕｕもまた外付けであり、ノードＢをＵＥと接続し、Ｉｕｂは内臓インターフェースであり、ＲＮＣをノードＢと接続する。
【００９４】
無線ネットワークは、企業イントラネット、インターネット、あるいは、上に示された従来の公衆交換回線ネットワークなど、無線ネットワークの外側の追加のネットワークにさらに接続され、各ユーザ機器デバイス１２３〜１２７と、そのような外部ネットワークとの間でデータパケットを転送しうる。
【００９５】
図１１Ｂは、ノードＢ（あるいは、基地局または無線トランシーバ基地局）１１０、１１１、１１４に結合された無線ネットワークコントローラ（ＲＮＣ）（あるいは、基地局コントローラ（ＢＳＣ））１４１〜１４４を含む通信ネットワーク１００Ｂの選択されたコンポーネントを示す。ノードＢ １１０、１１１、１１４は、対応する無線接続１５５、１６７、１８２、１９２、１９３、１９４を通してユーザ機器（またはリモート局）１２３〜１２７と通信する。ＲＮＣ １４１〜１４４は、制御機能を１または複数のノードＢに提供する。無線ネットワークコントローラ１４１〜１４４は、モバイル切換センタ（ＭＳＣ）１５１、１５２を通して公衆交換電話ネットワーク（ＰＳＴＮ）１４８に結合される。別の例において、無線ネットワークコントローラ１４１〜１４４は、パケットデータサーバノード（「ＰＤＳＮ」）（示されない）を通してパケット交換ネットワーク（ＰＳＮ）（示されない）に結合される。無線ネットワークコントローラ１４１〜１４４およびパケットデータサーバノードなどの様々なネットワークエレメント間でのデータ交換は、例えば、インターネットプロトコル（「ＩＰ」）、非同期転送モード（「ＡＴＭ」）プロトコル、Ｔ１、Ｅ１、フレーム中継、および、別のプロトコルなどのプロトコルを任意の数用いて実施されうる。
【００９６】
ＲＮＣは、複数の役目を果たす。第１に、ノードＢを使用しようとする新しいモバイルまたはサービスの許可を制御しうる。第２に、ノードＢまたは基地局の観点から、ＲＮＣは制御ＲＮＣである。制御許可は、ネットワークが利用可能な数まで、モバイルに無線リソース（帯域幅および信号／雑音比）が割り付けられることを確実にする。これは、ノードＢのＩｕｂインターフェースが終了する場所である。ＵＥまたはモバイルの観点から、ＲＮＣは、それがモバイルのリンクレイヤ通信を終了するサービングＲＮＣとして機能する。コアネットワークの観点から、サービングＲＮＣは、ＵＥのためのＩｕを終了する。サービングＲＮＣは、さらに、そのＩｕインターフェースを通してコアネットワークを使用しようとする新しいモバイルまたはサービスの許可を制御する。
【００９７】
例示的な実施形態において、各ノードＢは、既定の基準に基づいて、異なるＵＥの中からアップリンク上での早期復号の試みを優先する表を維持しうる。例えば、ソフトハンドオフ（ＳＨＯ）であるＵＥは、別のセルに対して、ＳＨＯではないＵＥよりも多くの干渉を引き起こす可能性があり、これによって、システム容量は、そのようなＵＥ（ＳＨＯである）の復号をより頻繁に試みることによって改善されうる。図１２は、アップリンク上のノードＢと通信するＵＥに対する早期復号の試みを優先するノードＢにおいて維持されうる表１２００の例示的な実施形態を示す。図１２において、各ＵＥは、対応するＵＥインデックスによって表され、さらに、対応する割付インジケータにマッピングされうる。この割付インジケータは、早期復号の試みがノードＢにおいて各ＵＥに対して実行されるべき頻度を特定しうる。例えば、ＵＥ＃１について、１０という割付インジケータは、早期復号が、２０ｍｓのＴＴＩにわたり１０回ＵＥ＃１に試されうることを特定し、５という割付インジケータは、早期復号が、２０ｍｓにわたりＵＥ＃２に５回試されうることを特定しうる。当業者は、例えば、全ての早期復号試みの間のスロットの数など、早期復号の試みの提案される周波数を表す割付インジケータの別の実施形態も容易に導き出されうることに認識するであろう。図１２の表は、ＲＮＣにおいて維持され、ノードＢに提供されうる。あるいは、各ノードＢは、個別の表を維持し、同様に、別のノードＢからの要求に応答して、例えば、それがサービスを提供するＵＥの早期復号優先性を調整することができる。
【００９８】
そのような技術が、同様に、ＵＥによって、ダウンリンク上で容易に適用され、例えば、ＵＥによって受信されている異なるチャネルの早期復号の試みを優先しうることは認識さるであろう。 
エアインターフェースについて、ＵＭＴＳは、通常、広帯域符号分割多元接続（あるいは、Ｗ−ＣＤＭＡ）として知られている広帯域拡散スペクトルモバイルエアインターフェースを使用する。Ｗ−ＣＤＭＡは、直接シーケンス符号分割多元接続シグナリング方法（あるいは、ＣＤＭＡ）を使用してユーザを分離する。Ｗ−ＣＤＭＡ（広帯域符号分割多元接続）は、モバイル通信のための第３世代規格である。Ｗ−ＣＤＭＡは、ＧＳＭ（Global System for Mobile Communications）／ＧＰＲＳ第２世代規格から発展し、それは、制限されたデータ容量を有する音声通信に向けられる。Ｗ−ＣＤＭＡの第１の商業展開は、Ｗ−ＣＤＭＡリリース９９と呼ばれる規格のバージョンに基づく。
【００９９】
リリース９９規格は、アップリンクパケットデータを可能にする２つの技術を定義する。通常、データ伝送は、専用チャネル（ＤＣＨ）、あるいは、ランダムアクセスチャネル（ＲＡＣＨ）のいずれかを用いてサポートされる。しかしながら、ＤＣＨは、パケットデータサービスをサポートするためのプライマリチャネルである。各リモート局１２３〜１２７は、直交可変拡散率（ＯＶＳＦ）符号を使用する。ＯＶＳＦ符号は、当業者によって認識されるように、個々の通信チャネルを一意的に識別することを容易にする直交符号である。加えて、マイクロダイバーシチは、ソフトハンドオーバを用いてサポートされ、閉ループ電力制御は、ＤＣＨと共に用いられる。
【０１００】
擬似ランダム雑音（ＰＮ）シーケンスは、一般的に、伝送パイロット信号を含む伝送されたデータを拡散するためにＣＤＭＡシステムにおいて使用される。ＰＮシーケンスの単一の値を伝送することに要求される時間は、チップとして知られており、チップが変化するレートは、チップレートとして知られている。受信機がそのＰＮシーケンスを、ノードＢ １１０、１１１、１１４のそれらに対して整列させる要求は、直接シーケンスＣＤＭＡシステムの設計につきものである。Ｗ−ＣＤＭＡ規格によって定義されたもののようないくつかのシステムは、プライマリスクランブリング符号として知られている一意的なＰＮ符号をそれぞれに対して使用して基地局１１０、１１１、１１４を区別する。Ｗ−ＣＭＤＡ規格は、ダウンリンクをスクランブリングするための２つのゴールド符号シーケンスを定義する。１つは、同相（Ｉ）用コンポーネントであり、別の１つは、直交（Ｑ）コンポーネント用である。ＩおよびＱのＰＮシーケンスは、データ変調なく、セルを通して共にブロードキャストされる。このブロードキャストは、共通パイロットチャネル（ＣＰＩＣＨ）と呼ばれる。生成されたＰＮシーケンスは、長さ３８，４００チップに切り捨てられる。３８，４００チップという期間は、無線フレームと呼ばれる。各無線フレームは、スロットと呼ばれる１５個の均等なセクションへと分割される。Ｗ−ＣＤＭＡのノードＢ １１０、１１１、１１４は、互いに対して非同期に動作し、１つの基地局１１０、１１１、１１４のフレームタイミングの知識は、あらゆる別のノードＢ １１０、１１１、１１４のフレームタイミングの知識へと変換しない。この知識を獲得するために、Ｗ−ＣＤＭＡシステムは、同期チャネルおよびセル探索技術を使用する。
【０１０１】
３ＧＰＰリリース５および後のサポートは、高速ダウンリンクパケットアクセス（ＨＳＤＰＡ）をサポートする。３ＧＰＰリリース６および後のサポートは、高速アップリンクパケットアクセス（ＨＳＵＰＡ）をサポートする。ＨＳＤＰＡおよびＨＳＵＰＡは、アップリンクおよびダウンリンク上でそれぞれ高速パケットデータ伝送を可能にするチャネルおよび手順のセットである。リリース７ ＨＳＰＡ＋は、データレートを改善するための３つの強化（enhancement）を使用する。第１に、ダウンリンク上での２×２ＭＩＭＯに対するサポートを導入した。ＭＩＭＯを用いた場合、ダウンリンク上でサポートされるピークデータレートは、２８Ｍｂｐｓである。第２に、より高いオーダの変調がダウンリンク上に導入された。ダウンリンク上での６４ＱＡＭの使用は、２１Ｍｂｐｓのピークデータレートを可能にする。第３に、より高いオーダの変調が、アップリンク上に導入される。アップリンク上での１６ＱＡＭの使用は、１１Ｍｂｐｓのピークデータレートを可能にする。
【０１０２】
ＨＳＵＰＡにおいて、ノードＢ １１０、１１１、１１４は、いくつかのユーザ機器デバイス１２３〜１２７が特定の電力レベルで同時に伝送することを可能にする。これらのグラント（grant）は、短期ベースで（数十秒ごとに）リソースを割り付ける高速スケジューリングアルゴリズムを使用することによってユーザに割り当てられる。ＨＳＵＰＡの高速スケジューリングは、パケットデータの爆発的な性質によく適している。高アクティビティの期間中、ユーザはより大きい割合の利用可能なリソースを獲得し、低アクティビティの期間中、ほとんどまたはまったく帯域幅を得ない。
【０１０３】
３ＧＰＰリリース５ ＨＳＤＰＡにおいて、アクセスネットワークのトランシーバ基地局１１０、１１１、１１４は、高速ダウンリンク共有チャネル（ＨＳ−ＤＳＣＨ）上でダウンリンクペイロードデータを、高速共有制御チャネル（ＨＳ−ＳＣＣＨ）上でダウンリンクデータと関連付けられた制御情報をユーザ機器デバイス１２３〜１２７に送る。データ伝送に使用される２５６個の直交可変拡散率（ＯＶＳＦまたはウォルシュ）符号がある。ＨＳＤＰＡシステムにおいて、これらの符号は、典型的にセルラ電話技術（音声）に対して使用されるリリース１９９９（レガシシステム）符号、および、データサービスに使用されるＨＳＤＰＡ符号へと分割される。各伝送時間インターバル（ＴＴＩ）について、ＨＳＤＰＡ対応のユーザ機器デバイス１２３〜１２７に送られる専用制御情報は、このデバイスに対して、そのデバイスにダウンリンクペイロードデータを送るために符号空間内のどの符号が使用されるか、並びに、そのダウンリンクペイロードデータの伝送に使用されるであろう変調を示す。
【０１０４】
ＨＳＤＰＡ動作の場合、ユーザ機器デバイス１２３〜１２７へのダウンリンク伝送は、１５個の利用可能なＨＳＤＰＡ ＯＶＳＦ符号を使用して異なる伝送時間インターバルに対してスケジューリングされうる。所与のＴＴＩについて、各ユーザ機器デバイス１２３〜１２７は、そのＴＴＩの間にデバイスに割り付けられたダウンリンク帯域幅に依存して、１５個のＨＳＤＰＡ符号のうちの１または複数を使用している可能性がある。すでに述べられたように、各ＴＴＩについて、制御情報は、ユーザ機器デバイス１２３〜１２７に対して、そのデバイスにダウンリンクペイロードデータ（無線ネットワークの制御データ以外のデータ）を伝送するために符号空間内のどの符号が使用されるか、並びに、そのダウンリンクペイロードデータの伝送に使用されるであろう変調を示す。
【０１０５】
ＭＩＭＯシステムにおいて、送信アンテナおよび受信アンテナから、Ｎ個（送信アンテナの数）×Ｍ個（受信アンテナの数）の信号経路が存在し、これらの経路上の信号は、一意的ではない。ＭＩＭＯは、複数のデータ伝送パイプを生成する。このパイプは、空間時間ドメインにおいて直交である。パイプの数は、システムのランクに等しい。これらのパイプが空間時間ドメインで直交であるため、これらは、互いに、少しの干渉しか生まない。データパイプは、Ｎ×Ｍ個の経路上で信号を適切に組み合わせることにより、適切なデジタル信号処理を用いて実現される。伝送パイプが、アンテナ伝送チェーンまたは任意の特定の１つの伝送経路に対応しないことに注意されたい。
【０１０６】
通信システムは、単一キャリア周波数または複数のキャリア周波数を使用しうる。各リンクは、異なる数のキャリア周波数を組み込みうる。さらに、アクセス端末１２３〜１２７は、無線チャネルを通して、あるいは、例えば、光ファイバまたは同軸ケーブルを使用する有線チャネルを通して通信する任意のデータデバイスでありうる。アクセス端末１２３〜１２７は、ＰＣカード、コンパクトフラッシュ、外付けまたは内蔵モデム、あるいは、無線または有線電話を含むがそれに限定されない多種多様なデバイスのうちのいずれかでありうる。アクセス端末１２３〜１２７は、さらに、ユーザ機器（ＵＥ）、リモート局、モバイル局、あるいは、加入者局として知られている。さらに、ＵＥ １２３〜１２７は、モバイルまたは固定でありうる。
【０１０７】
１または複数のノードＢ １１０、１１１、１１４とのアクティブトラフィックチャネル接続を確立したユーザ機器１２３〜１２７は、アクティブユーザ機器１２３〜１２７と呼ばれ、トラフィック状態にあるとされる。１または複数のノードＢ １１０、１１１、１１４とのアクティブトラフィックチャネル接続を確立している最中のユーザ機器１２３〜１２７は、接続セットアップ状態にあるとされる。ユーザ機器１２３〜１２７は、無線チャネルを通して、あるいは、例えば、光ファイバまたは同軸ケーブルを使用する有線チャネルを通して通信する任意のデータデバイスでありうる。ユーザ機器１２３〜１２７がノードＢ １１０、１１１、１１４に信号を送る通信リンクは、アップリンクと呼ばれる。ノードＢ １１０、１１１、１１４がユーザ機器１２３〜１２７に信号を送る通信リンクは、ダウンリンクと呼ばれる。
【０１０８】
図１１Ｃが本明細書において以下に詳述され、ここでは、特に、ノードＢ １１０、１１１、１１４および無線ネットワークコントローラ１４１〜１４４がパケットネットワークインターフェース１４６とインターフェースする。（図１１Ｃでは、簡略化のため、１つのノードＢ １１０、１１１、１１４しか示されないことに注意されたい）ノードＢ １１０、１１１、１１４および無線ネットワークコントローラ１４１〜１４４は、図１１Ａおよび図１１Ｃにおいて、１または複数のノードＢ １１０、１１１、１１４および無線ネットワークコントローラ１４１〜１４４を囲む点線で示される無線ネットワークサーバ（ＲＮＳ）６６の一部でありうる。伝送されるべき関連データ量は、ノードＢ １１０、１１１、１１４のデータ待ち行列１７２から検索され、データ待ち行列１７２と関連付けられたユーザ機器１２３〜１２７（図１１Ｃでは示されない）への伝送のためにチャネルエレメント１６８に提供される。
【０１０９】
無線ネットワークコントローラ１４１〜１４４は、モバイル切換センタ１５１、１５２を通して公衆交換電話ネットワーク（ＰＳＴＮ）１４８とインターフェースする。さらに、無線ネットワークコントローラ１４１〜１４４は、通信システム１００Ｂ内のノードＢ １１０、１１１、１１４とインターフェースする。加えて、無線ネットワークコントローラ１４１〜１４４は、パケットネットワークインターフェース１４６とインターフェースする。無線ネットワークコントローラ１４１〜１４４は、通信システム内のユーザ機器１２３〜１２７と、パケットネットワークインターフェース１４６およびＰＳＴＮ１４８に接続された別のユーザとの通信を協調する。ＰＳＴＮ １４８は、標準的な電話ネットワーク（図１１Ｃには示されない）を通してユーザとインターフェースする。
【０１１０】
無線ネットワークコントローラ１４１〜１４４は、図１１Ｃには簡潔さのために１つしか示されていないが、多くのセレクタエレメント１３６を含む。各セレクタエレメント１３６は、１または複数のノードＢ １１０、１１１、１１４と、１つのリモート局１２３〜１２７（示されない）との通信を制御するために割り当てられる。セレクタエレメント１３６が、所与のユーザ機器１２３〜１２７に割り当てられない場合、呼出制御プロセッサ１４０は、ユーザ機器１２３〜１２７をページングする必要性が知らされる。呼出制御プロセッサ１４０は、次に、ユーザ機器１２３〜１２７をページングするようにノードＢ １１０、１１１、１１４指示する。
【０１１１】
データソース１２２は、所与のユーザ機器１２３〜１２７に伝送されるべきデータ量を含む。データソース１２２は、データをパケットネットワークインターフェース１４６に提供する。パケットネットワークインターフェース１４６は、データを受信し、そのデータをセレクタエレメント１３６に送る。次に、セレクタエレメント１３６は、データを、ターゲットユーザ機器１２３〜１２７と通信状態にあるノードＢ １１０、１１１、１１４に伝送する。例示的な実施形態において、各ノードＢ １１０、１１１、１１４は、ユーザ機器１２３〜１２７に伝送されるべきデータを記憶するデータ待ち行列１７２を維持する。
【０１１２】
各データパケットについて、チャネルエレメント１６８は、制御フィールドを挿入する。例示的な実施形態において、チャネルエレメント１６８は、巡回冗長検査（ＣＲＣ）、データパケットと制御フィールドの符号化を実行し、符号テールビットのセットを挿入する。このデータパケット、制御フィールド、ＣＲＣパリティビット、および、符号テールビットは、フォーマット化されたパケットを備える。次に、例示的な実施形態において、チャネルエレメント１６８は、フォーマット化されたパケットを符号化し、この符号化パケット内のシンボルをインターリーブ（または、再度順序付け）する。例示的な実施形態において、インターリーブ化されたパケットは、ウォルシュ符号を用いてカバーされ、短期ＰＮＩおよびＰＮＱ符号を用いて拡散される。拡散データは、この信号を直交変調、フィルタリング、増幅するＲＦユニット１７０に提供される。ダウンリンク信号は、アンテナを通して無線でダウンリンクに伝送される。
【０１１３】
ユーザ機器１２３〜１２７において、ダウンリンク信号は、アンテナによって受信され、受信機に送られる。受信機は、この信号をフィルタリング、増幅、直交復調、および、量子化する。デジタル信号は、それが、短期ＰＮＩおよびＰＮＱ符号を用いて逆拡散（despread）され、ウォルシュ符号を用いてカバー除去（decover）される復調器に提供される。復調データは、ノードＢ １１０、１１１、１１４で行われた信号処理機能の逆（特に、デインターリーブ、復号、ＣＲＣ検査機能）を実行する復号器に提供される。復号データは、データシンクに提供される。
【０１１４】
図１１Ｄは、ユーザ機器（ＵＥ）１２３〜１２７の実施形態を示し、このＵＥ １２３〜１２７は、送信回路１６４（ＰＡ １０８を含む）、受信回路１０９、電力コントローラ１０７、復号プロセッサ１５８、処理ユニット１０３、および、メモリ１１６を含む。
【０１１５】
処理ユニット１０３は、ＵＥ １２３〜１２７の動作を制御する。処理ユニット１０３は、ＣＰＵとも呼ばれる。読取専用メモリ（ＲＯＭ）およびランダムアクセスメモリ（ＲＡＭ）を含みうるメモリ１１６は、命令およびデータを処理ユニット１０３に提供する。メモリ１１６の一部は、さらに、不揮発ランダムアクセスメモリ（ＮＶＲＡＭ）を含みうる。
【０１１６】
セルラ電話のような無線通信デバイスに組み込まれうるＵＥ １２３〜１２７は、さらに、ＵＥ １２３〜１２７とリモートロケーションとの間で、オーディオ通信のような、データの送受信を可能にするために、送信回路１６４および受信回路１０９を含むハウジングを含みうる。送信回路１６４および受信回路１０９は、アンテナ１１８に結合されうる。
【０１１７】
ＵＥ １２３〜１２７の様々なコンポーネントは、データバスに加え、電力バス、制御信号バス、および、状態信号バスを含みうるバスシステム１３０によって互いに結合される。しかしながら、簡潔さのために、様々なバスがバスシステム１３０として図１１Ｄに示されている。ＵＥ １２３〜１２７は、さらに、信号の処理に使用するための処理ユニット１０３を含みうる。さらに、電力コントローラ１０７、復号プロセッサ１５８、および、電力増幅器１０８が示される。
【０１１８】
記述された方法のステップは、さらに、図１１Ｃに示されるように、ノードＢ １１０、１１１、１１４内のメモリ１６１に位置するソフトウェアまたはファームウェア４３の形態で命令として記憶されている。これらの命令は、図１１ＣのノードＢ １１０、１１１、１１４の制御ユニット１６２によって実行されうる。あるいは、または、それに関して、論述される方法のステップは、ＵＥ １２３〜１２７のメモリ１１６に位置するソフトウェアまたはファームウェア４２の形態で、命令として記憶されうる。これらの命令は、図１１ＤにおいてＵＥ １２３〜１２７の処理ユニット１０３によって実行されうる。
【０１１９】
当業者は、情報および信号が、多種多様なテクノロジおよび技術のいずれかを用いて表されうることを理解するであろう。例えば、上記全体を通して参照されるデータ、命令、コマンド、情報、信号、ビット、シンボル、およびチップは、電圧、電流、電磁波、磁場または粒子、光電場または光粒子、またはこれらのあらゆる組み合わせによって表されうる。
【０１２０】
当業者はさらに、本明細書に開示された例示的な実施形態と関連して記述されている様々な実例となる論理ブロック、モジュール、回路、アルゴリズムステップが、電子ハードウェア、コンピュータソフトウェアまたは両方の組み合わせとして実施されることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性が実施されるか否かは、特定のアプリケーションとシステム全体に課された設計制約とに依存する。当業者は各特定アプリケーションについて様々な方法で上記機能性を実施することができるが、このような実施の決定は本発明の例示的な実施形態の範囲からの逸脱の原因になるとして解釈されるべきではない。
【０１２１】
本明細書に開示された例示的な実施形態と関連して記述される様々な実例となる論理ブロック、モジュール、回路は、汎用プロセッサ、デジタル信号プロセッサ（ＤＳＰ）、特定用途向けＩＣ（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、もしくは、本明細書に記述された機能を実行するよう設計されたこれらの任意の組み合わせと一緒に実行または実施される。汎用プロセッサはマイクロプロセッサであるが、代替で、このプロセッサは、任意の従来のプロセッサ、コントローラ、マイクロコントローラ、またはステートマシンでありうる。プロセッサは、また、例えば、ＤＳＰとマクロプロセッサ、複数のマイクロプロセッサ、ＤＳＰコアに結合した１または複数のマイクロプロセッサ、その他の上記構成の組み合わせといった計算デバイスの組み合わせとしても実施される。
【０１２２】
本明細書に開示された例示的な実施形態に関して示される方法またはアルゴリズムのステップは、直接的にハードウェアに、プロセッサによって実行されるソフトウェアモジュールに、またはそれら二つの組み合わせに組み込まれうる。ソフトウェアモジュールは、ランダムアクセスメモリ（ＲＡＭ）、フラッシュメモリ、読み取り専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、取外し可能ディスク、ＣＤ−ＲＯＭ、または本技術分野において周知の記憶媒体の他の形態に存在しうる。例示的な記憶媒体は、プロセッサが記憶媒体から情報を読み取り、記憶媒体に情報を書き込むことができるようにプロセッサに結合される。代替において、記憶媒体はプロセッサに一体化される。プロセッサと記憶媒体はＡＳＩＣに存在しうる。ＡＳＩＣはユーザ端末に存在しうる。代替において、プロセッサと記憶媒体は、個別コンポーネントとして、ユーザ端末に存在しうる。
【０１２３】
１または複数の例示的な実施形態において、記述された機能は、ハードウェア、ソフトウェア、ファームウェア、または、それらのあらゆる組み合わせに実施される。ソフトウェアに実施された場合、その機能はコンピュータ可読媒体上の１または複数の命令またはコードとして記憶または伝送される。コンピュータ可読媒体は、コンピュータ記憶媒体と、ある箇所から別の箇所へのコンピュータプログラム移送を容易にする任意の媒体を含む通信媒体との両方を含む。記憶媒体はコンピュータによりアクセスされることができる任意の利用可能な媒体である。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくは、コンピュータによってアクセスされることができ、命令やデータ構造形で所望のプログラムコードを搬送または記憶するために使用される任意の別媒体を備えうる。さらに、任意の接続は適切にコンピュータ可読媒体と呼ばれる。例えば、同軸ケーブル、光ファイバーケーブル、撚線対、デジタル加入者回線（ＤＳＬ）、または、赤外線、無線、マイクロ波などの無線テクノロジを使用してウェブサイト、サーバ、または他のリモートソースからソフトウェアが伝送されると、この同軸ケーブル、光ファイバーケーブル、撚線対、ＤＳＬ、または、赤外線、無線、マイクロ派などの無線テクノロジは媒体の定義に含まれる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲内に含まれるべきである。
【０１２４】
開示された例示的な実施形態の以上の記述は、当業者が本発明を実施および使用することを可能にするために提供される。これらの例示的な実施形態に対する様々な変更は、当業者には容易に明らかであり、本明細書において定義された包括的な原理は、本発明の精神または範囲を逸脱することなく他の例示的な実施形態に適用可能である。従って、本発明は本明細書に記載の例示的な実施形態に制限されるものではなく、本明細書で開示される原理および新規な特徴と合致する最も広い範囲が与えられるべきである。
【図１】
2013512593.tif 000004
【図２Ａ】
2013512593.tif 000005
【図２Ｂ】
2013512593.tif 000006
【図２Ｃ】
2013512593.tif 000007
【図２Ｄ】
2013512593.tif 000008
【図３】
2013512593.tif 000009
【図４】
2013512593.tif 000010
【図５】
2013512593.tif 000011
【図６Ａ】
2013512593.tif 000012
【図６Ｂ】
2013512593.tif 000013
【図６Ｃ】
2013512593.tif 000014
【図７】
2013512593.tif 000015
【図８】
2013512593.tif 000016
【図９】
2013512593.tif 000017
【図１０】
2013512593.tif 000018
【図１１Ａ】
2013512593.tif 000019
【図１１Ｂ】
2013512593.tif 000020
【図１１Ｃ】
2013512593.tif 000021
【図１１Ｄ】
2013512593.tif 000022
【図１２】
2013512593.tif 000023
【国際調査報告】
2013512593.tif 000024
2013512593.tif 000025
2013512593.tif 000026